(57)【要約】【課題】  コンテンツのランキング情報を用いることによって、使用者の好みに合致したコンテンツをダウンロードするコンテンツ送信方法、コンテンツ通信システム、コンテンツ送信装置及びコンテンツ受信装置を提供する。【解決手段】  コンテンツ受信装置の楽曲処理部２０のランキング情報受信部２３は、ランキング情報を受信してランキング情報記憶部３２に格納する。そして、ダウンロード楽曲判定部２４は、ランキング情報記憶部３２に記憶されたランキング情報を参照してダウンロードすべき楽曲の識別子をダウンロード楽曲情報３４ａに格納する。そして、ダウンロード楽曲データ受信部２５は、ダウンロード楽曲情報３４ａに記憶された識別子に基づいて、楽曲データをダウンロードしてランキング楽曲データ蓄積部３５に格納する。【選択図】  図３
2006337557.tif 000002
【特許請求の範囲】
【請求項１】
コンテンツを記憶し、
前記コンテンツのランキングを記憶し、
前記記憶されたランキングでの順位が所定の値より上位または等しいコンテンツを選択し、
前記選択されたコンテンツを送信することを特徴とするコンテンツ送信方法。
【請求項２】
前記コンテンツの送信は所定期間毎に行われ、
過去に送信されたコンテンツを記憶し、
前記選択されたコンテンツであって、前記記憶された過去に送信されたコンテンツ以外のコンテンツを送信することを特徴とする請求項１に記載のコンテンツ送信方法。
【請求項３】
前記コンテンツの送信は所定期間毎に行われ、
前記選択されたコンテンツであって、前記記憶された過去のランキングでの順位が所定の値より上位であったことがなく、かつ、等しかったことがないコンテンツを送信することを特徴とする請求項１に記載のコンテンツ送信方法。
【請求項４】
前記コンテンツのランキングに併せてそのコンテンツの属性情報を記憶し、
前記記憶されたランキング及び前記記憶されたコンテンツの属性情報に所定の演算を施してランキングを算出し、
前記算出されたランキングでの順位が前記所定の値より上位または等しいコンテンツを選択することを特徴とする請求項１に記載のコンテンツ送信方法。
【請求項５】
前記コンテンツの複数のランキングを記憶し、
前記記憶された複数のランキングでの順位に所定の演算を施して算出されたランキングでの順位が前記所定の値より上位または等しいコンテンツを選択することを特徴とする請求項１に記載のコンテンツ送信方法。
【請求項６】
前記コンテンツの第１〜第ｎ（ｎは２以上の自然数）のランキングを記憶し、
いずれも０以上の自然数である第ｉの所定数（１≦ｉ≦ｎ）をそれらの第ｉの所定数の総和が前記所定の数であるように定めて記憶し、
前記記憶された第１〜第ｎのランキングの順位がそれぞれ上位前記記憶された第ｉの所定数であるコンテンツを選択することを特徴とする請求項１に記載のコンテンツ送信方法。
【請求項７】
前記コンテンツ毎に、そのコンテンツの著作権者に支払われるコンテンツ使用料をそのコンテンツが前記選択された回数に依存して算出することを特徴とする請求項１に記載のコンテンツ送信方法。
【請求項８】
通信手段を有する装置から、その装置の識別子を伴って前記記憶されたランキング情報での順位が所定の値より上位または等しいコンテンツの送信の要求を受信し、
前記受信された要求に従ったコンテンツを選択し、
前記受信された識別子によって識別される装置の通信料金に前記所定の値に依存した前記選択されたコンテンツの課金を加算することを特徴とする請求項１に記載のコンテンツ送信方法。
【請求項９】
コンテンツを送信するコンテンツ送信装置と、前記コンテンツ送信装置から送信されたコンテンツを受信するコンテンツ受信装置とが通信網を介して接続されたコンテンツ通信システムにおいて、
前記コンテンツ送信装置は、
前記コンテンツ受信装置へ送信するコンテンツを記憶する第１のコンテンツ記憶手段と、
この第１のコンテンツ記憶手段に記憶されたコンテンツを送信するコンテンツ送信手段とを有し、
前記コンテンツ受信装置は、
前記コンテンツ送信装置から受信するコンテンツを記憶する第２のコンテンツ記憶手段と、
前記コンテンツのランキングを記憶するランキング記憶手段と、
前記ランキング記憶手段に記憶されたランキングでの順位が所定の値より上位または等しい前記コンテンツを選択するコンテンツ選択手段と、
前記コンテンツ選択手段によって選択されたコンテンツを前記コンテンツ送信装置から受信して、この受信したコンテンツを前記第２のコンテンツ記憶手段に記憶するコンテンツ受信手段とを有することを特徴とするコンテンツ通信システム。
【請求項１０】
コンテンツを送信するコンテンツ送信装置と、前記コンテンツ送信装置から送信されたコンテンツを受信するコンテンツ受信装置とが通信網を介して接続されたコンテンツ通信システムにおいて、
前記コンテンツ送信装置は、
前記コンテンツ受信装置へ送信するコンテンツを記憶する第１のコンテンツ記憶手段と、
前記コンテンツのランキングを記憶するランキング記憶手段と、
前記ランキング記憶手段に記憶されたランキングでの順位が所定の値より上位または等しい前記コンテンツを選択するコンテンツ選択手段と、
前記コンテンツ選択手段によって選択されたコンテンツを前記第１のコンテンツ記憶手段から読み込んで送信するコンテンツ送信手段とを有し、
前記コンテンツ受信装置は、
前記コンテンツ送信装置から受信するコンテンツを記憶する第２のコンテンツ記憶手段と、
前記コンテンツを受信して、この受信したコンテンツを前記第２のコンテンツ記憶手段に記憶するコンテンツ受信手段とを有することを特徴とするコンテンツ通信システム。
【請求項１１】
コンテンツを受信するコンテンツ受信装置と通信網を介して接続されたコンテンツ通信システムのコンテンツ送信装置において、
コンテンツを記憶するコンテンツ記憶手段と、
コンテンツのランキングを記憶するランキング記憶手段と、
このランキング記憶手段に記憶されたランキングでの順位が所定の値より上位または等しい前記コンテンツを選択するコンテンツ選択手段と、
前記コンテンツ選択手段によって選択されたコンテンツを前記コンテンツ記憶手段から読み込んで前記コンテンツ受信装置へ送信するコンテンツ送信手段とを有することを特徴とするコンテンツ送信装置。
【請求項１２】
コンテンツを送信するコンテンツ送信装置に通信網を介して接続されたコンテンツ通信システムのコンテンツ受信装置において、
コンテンツを記憶するコンテンツ記憶手段と、
コンテンツのランキングを記憶するランキング記憶手段と、
前記ランキング記憶手段に記憶されたランキングでの順位が所定の値より上位または等しい前記コンテンツを選択するコンテンツ選択手段と、
前記コンテンツ選択手段によって選択されたコンテンツを前記コンテンツ送信装置から受信して、この受信したコンテンツを前記コンテンツ記憶手段に記憶するコンテンツ受信手段とを有することを特徴とするコンテンツ受信装置。
【発明の詳細な説明】
【技術分野】
【０００１】
本発明は、コンテンツ送信方法、コンテンツ通信システム、コンテンツ送信装置及びコンテンツ受信装置に係り、特に、適切なコンテンツをダウンロードする処理に関する。
【背景技術】
【０００２】
コンテンツ送信装置からコンテンツを通信網経由でコンテンツ受信装置、例えば携帯電話等に送信して販売する処理が知られている。ここで、コンテンツとは、楽曲情報、映像情報、ゲームプログラムなどを含み、デジタル情報であるかアナログ情報であるかを問わず、また、符号化されているか否かを問わない。コンテンツは、コンテンツ受信装置の使用者の指示に従ってコンテンツ受信装置がコンテンツ送信装置にコンテンツを識別する識別情報、例えば、識別子を送信することによって選択される。
【０００３】
ここで、使用者がコンテンツの名称や作者を知らない場合、多数のコンテンツから好みに合致するコンテンツを選択することは困難である。そこで、コンテンツに人気度を示す、例えば、ヒットチャート順位に関する情報や、そのコンテンツのイメージ情報を関連付けて記憶し、使用者は、それらのコンテンツに関連付けて記憶された情報を用いて好みに合致するコンテンツを選択して、選択されたコンテンツをダウンロードする処理が知られている（例えば、特許文献１参照。）。
【特許文献１】特開２０００−３３１０９０号公報（第２頁、図８）
【発明の開示】
【発明が解決しようとする課題】
【０００４】
しかしながら、上述した特許文献１に開示されている方法では、使用者がコンテンツの名称や作者を知らない場合、使用者が好みに合致したコンテンツを選択するには多くの入力操作を必要とし、特に、携帯電話機に代表される移動通信端末装置などの、少数のキーのみを持つ装置において、その入力操作は困難である問題点があった。また、選択されたコンテンツが好みに合致しているとは限らない問題点があった。
【０００５】
本発明は、上記問題点を解決するためになされたもので、コンテンツのヒットチャートなどのランキングに関する情報を用いることによって、使用者の好みに合致したコンテンツをダウンロードするコンテンツ送信方法、コンテンツ通信システム、コンテンツ送信装置及びコンテンツ受信装置を提供することを目的とする。
【課題を解決するための手段】
【０００６】
上記目的を達成するために、本発明のコンテンツ送信方法は、コンテンツを記憶し、前記コンテンツのランキングを記憶し、前記記憶されたランキングでの順位が所定の値より上位または等しいコンテンツを選択し、前記選択されたコンテンツを送信することを特徴とする。
【発明の効果】
【０００７】
本発明によれば、コンテンツのランキング情報を用いることによって、使用者の好みに合致したコンテンツをダウンロードするコンテンツ送信方法、コンテンツ通信システム、コンテンツ送信装置及びコンテンツ受信装置を提供することができる。
【発明を実施するための最良の形態】
【０００８】
以下に、本発明によるコンテンツ送信方法、コンテンツ通信システム、コンテンツ送信装置及びコンテンツ受信装置の実施の形態を、図面を参照して説明する。
【０００９】
（第１の実施形態）
図１は、本発明の第１の実施形態に係るコンテンツ送信方法が適用されたコンテンツ通信システムの構成を示すブロック図である。なお、以後、コンテンツを楽曲と称する。
【００１０】
このコンテンツ通信システムは、本発明の第１の実施形態に係るコンテンツ受信装置が適用された移動通信端末装置１と、本発明の第１の実施形態に係るコンテンツ送信装置が適用されたランキングサーバ装置２と、移動通信端末装置１とランキングサーバ装置２とを接続する通信網とからなる。通信網は、セルラーパケット網３ａ及び／またはインターネット網３ｂである。移動通信端末装置１は、１台であっても良く、複数台であっても良い。また、ランキングサーバ装置２は、１台であっても良く、複数台であっても良い。
【００１１】
図２は、第１の実施形態に係る移動通信端末装置１の構成を示すブロック図である。この移動通信端末装置１は、装置全体の制御を行う制御部１１と、基地局（図示せず）を経由してセルラーパケット網３ａに接続されるアンテナ１２ａと、通信部１２ｂと、送受信部１３と、受話用のスピーカ１４ａと、マイクロフォン１４ｂと、通話部１４ｃと、表示部１５と、入力装置１６と、楽曲処理部２０と、復号化部４１と、楽曲の音声情報再生用のスピーカ４１ａと、近距離無線基地局（図示せず）を経由してインターネット網３ｂに接続されるアンテナ４２ａと、近距離無線送受信部４２ｂと、外部記憶媒体４３と、蓄電池からなる電池４６と、装置の各部に電池４６に蓄えられた電力を供給する電源回路４７とからなる。
【００１２】
外部記憶媒体４３は、例えばメモリーカードであって、外部記憶媒体４３には、楽曲データ４３ａが記憶される。楽曲データ４３ａは、後述する１つまたは複数のランキング楽曲データ及び／または１つまたは複数の個別購入楽曲データであって、外部記憶媒体４３にコピーまたは移動されたものである。
【００１３】
図３は、楽曲処理部２０の詳細な構成を示すブロック図である。この楽曲処理部２０は、再生権購入部２１と、再生条件入力部２２と、ランキング情報受信部２３と、ダウンロード楽曲判定部２４と、ダウンロード楽曲データ受信部２５と、個別購入楽曲データ受信部２６と、再生権情報記憶部３１と、ランキング情報記憶部３２と、再生楽曲情報記憶部３３と、ダウンロード楽曲情報記憶部３４と、ランキング楽曲データ蓄積部３５と、個別購入楽曲データ蓄積部３６とからなる。
【００１４】
再生権情報記憶部３１には、再生権情報３１ａが記憶される。再生権情報３１ａは、移動通信端末装置１がランキングサーバ装置２から、例えば、毎週毎に楽曲のダウンロードを受けて再生する権利を示す情報である。図４は、再生権情報３１ａの第１の例を示す。この再生権情報３１ａは、契約者識別子３１ｂと、有効期限３１ｃと、再生可能楽曲数３１ｄとからなる。
【００１５】
契約者識別子３１ｂは、移動通信端末装置１が加入している移動通信システムの事業者が移動通信端末装置１を一意に識別できる１種類、または、複数の種類の情報である。図４では、例えば、「１００」なる情報が記憶されているがこれに限定されるものではない。有効期限３１ｃは、この権利が有効となる最終の日時や時刻を示す情報であり、この有効期限３１ｃが示す日時や時刻以後、再生権情報３１ａは、無効となる。図４では、「２００５年２月１３日」なる情報が記憶されている。再生可能楽曲数３１ｄは、この権利によってダウンロードを受けて再生できる楽曲の数であり、図４では、「３０」なる情報が記憶されている。なお、再生可能楽曲数３１ｄは、１０か、２０か、３０か、５０のいずれかの情報であるとするが、これに限るものではない。
【００１６】
つまり、図４に示すこの再生権情報３１ａにより、移動通信端末装置１は、２００５年２月１３日までの間、所定のランキングの、例えば、毎週上位にランクされた再生可能楽曲数３１ｄ（図４に示す例では、３０曲）の楽曲のダウンロードを毎週、再生する権利を有することを示す。
【００１７】
図５は、再生権情報３１ａの第２の例を示す。この再生権情報３１ａは、契約者識別子３１ｂと、有効期限３１ｃと、再生可能楽曲数３１ｄと、ランキング集計条件３１ｅとからなる。契約者識別子３１ｂと、有効期限３１ｃと、再生可能楽曲数３１ｄとは、図４に示す再生権情報３１ａの第１の例と同じ情報であり、説明を省略する。ランキング集計条件３１ｅは、いずれのランキングに含まれる楽曲の中で、いずれの再生可能楽曲数３１ｄ（図５に示す例では、３０曲。）の楽曲のダウンロードを受けて再生するかを示す情報であり、図５では、「邦楽販売総合−演歌＋アーチストＣ」なる情報が記憶されている。
【００１８】
この図５に例示するランキング集計条件３１ｅにより、ダウンロードを受けて再生できる楽曲は、邦楽販売総合ランキングにランクされた楽曲でジャンルが演歌である楽曲を除くものの、ジャンルが演歌であってアーチストＣによる楽曲は除かずにランキングを作成し、そのランキングの上位にランクされた楽曲であることを示す。そして、ダウンロードを受けて再生できる楽曲は、そのランキングの上位再生可能楽曲数３１ｄ（図５に示す例では、３０曲。）の楽曲である。上記ランキングを作成する基準については、後で詳述する。
【００１９】
図６は、再生権情報３１ａの第３の例を示す。この再生権情報３１ａは、契約者識別子３１ｂと、有効期限３１ｃと、再生可能楽曲数３１ｄと、ランキング種別数３１ｆと、第１のランキング種別３１ｇと、第１のランキング種別の再生可能楽曲数３１ｈと、第２のランキング種別３１ｉと、第２のランキング種別の再生可能楽曲数３１ｊと、第３のランキング種別３１ｋと、第３のランキング種別の再生可能楽曲数３１ｍとからなる。契約者識別子３１ｂと、有効期限３１ｃと、再生可能楽曲数３１ｄとは、図４に示す再生権情報３１ａの第１の例と同じ情報であり、説明を省略する。
【００２０】
ランキング種別数３１ｆは、再生可能楽曲数３１ｄ（図６に示す例では、３０曲）の楽曲を再生するにあたり、いくつのランキングに基づいて選択するかを示す数であり、図６では、「３」なる情報が記憶されている。第１のランキング種別３１ｇは、上記楽曲を選択するために用いられる第１のランキングを示す情報であり、図６では、「邦楽販売」なる情報が記憶されている。第１のランキング種別の再生可能楽曲数３１ｈは、第１のランキング種別３１ｇによって示されるランキングの上位にランクされた楽曲から選択される楽曲の数を示し、そのランキング（図６に示す例では、邦楽販売ランキング。）の上位第１のランキング種別の再生可能楽曲数３１ｈ（図６に示す例では、１５曲。）の楽曲が選択されることを示す。
【００２１】
第２のランキング種別３１ｉと、第２のランキング種別の再生可能楽曲数３１ｊとは、上記の第１のランキング種別３１ｇと、第１のランキング種別の再生可能楽曲数３１ｈと同様であり、説明を省略する。図６に示す例では、第２のランキング種別３１ｉには、「邦楽販売７０年代」なる情報が、また、第２のランキング種別の再生可能楽曲数３１ｊには、「１０」なる情報がそれぞれ記憶されている。
【００２２】
第３のランキング種別３１ｋと、第３のランキング種別の再生可能楽曲数３１ｍとは、上記の第１のランキング種別３１ｇと、第１のランキング種別の再生可能楽曲数３１ｈと同様であり、説明を省略する。図６に示す例では、第３のランキング種別３１ｋには、「カラオケ７０年代」なる情報が、第３のランキング種別の再生可能楽曲数３１ｍには、「５」なる情報がそれぞれ記憶されている。
【００２３】
ここで、再生可能楽曲数３１ｄが示す楽曲数は、第１のランキング種別の再生可能楽曲数３１ｈが示す楽曲数と、第２のランキング種別の再生可能楽曲数３１ｊが示す楽曲数と、第３のランキング種別の再生可能楽曲数３１ｍが示す楽曲数との和である。
【００２４】
なお、ランキングの種別は、上記説明に用いた、楽曲が販売された数または使用された数に拠ると限るものではない。例えば、移動通信端末装置１にダウンロードされた回数または移動通信端末装置１で再生された数に拠るものであっても良い。これらのランキングの作成は、移動通信端末装置１が、楽曲をダウンロードする度にまたは楽曲を再生する度に楽曲を識別する情報をランキングサーバ装置２に送信すれば可能である。
【００２５】
ランキング情報記憶部３２には、ランキングにランクされた楽曲の属性情報を、どの順位にランクされたかを含めて示すランキング情報３２ａが記憶される。図７は、ランキング情報３２ａの第１の例を示す。このランキング情報３２ａは、順位３２ｂと、楽曲識別子３２ｃと、楽曲名３２ｄと、アーチスト名３２ｅと、楽曲ファイル名３２ｆと、ジャンル３２ｇとの情報の組からなる。順位３２ｂは、このランキングにおけるランクの順位であって、最上位が「１」、以後、「２」、「３」、…なる自然数である。楽曲識別子３２ｃは、楽曲を一意に識別する情報である。楽曲名３２ｄは、その楽曲の名称である。アーチスト名３２ｅは、その楽曲を演奏した、または、歌ったアーチストの名称、または、名前である。楽曲ファイル名３２ｆは、その楽曲が記憶されるファイルの名称である。ジャンル３２ｇは、その楽曲のジャンルである。
【００２６】
なお、ランキング情報３２ａは、上記説明したものに限るものではない。例えば、楽曲のその他の属性である作詞者名、作曲者名、楽曲製作事業者名等を含んでも良い。また、ジャンル３２ｇは含まれないとし、異なるジャンル３２ｇの情報を異なるランキング情報３２ａとしても良い。
【００２７】
図７に示す第１の例のランキング情報３２ａには、順位３２ｂが「１」、即ち、最上位にランクされた楽曲の楽曲識別子３２ｃは「ＡＡＡ＿１」であり、楽曲名３２ｄは「Ａ」であり、アーチスト名３２ｅは「ＡＡＡ」であり、楽曲ファイル名３２ｆは「ａａａ」であり、ジャンル３２ｇは「演歌」であることが記憶されている。
【００２８】
また、順位３２ｂが「２」、即ち、第２位にランクされた楽曲の楽曲識別子３２ｃは「ＢＢＢ＿５」であり、楽曲名３２ｄは「Ｂ」であり、アーチスト名３２ｅは「ＢＢＢ」であり、楽曲ファイル名３２ｆは「ｂｂｂ」であり、ジャンル３２ｇは「ポップス」であることが記憶されている。更に、順位３２ｂが「３」、即ち、第３位にランクされた楽曲の楽曲識別子３２ｃは「ＣＣＣ＿６」であり、楽曲名３２ｄは「Ｃ」であり、アーチスト名３２ｅは「ＣＣＣ」であり、楽曲ファイル名３２ｆは「ｃｃｃ」であり、ジャンル３２ｇは「演歌、ポップス」である、即ち、その楽曲のジャンルは、演歌でありかつポップスであることが記憶されている。
【００２９】
図８は、ランキング情報３２ａの第２の例を示す。このランキング情報３２ａは、順位３２ｂと、楽曲識別子３２ｃと、楽曲名３２ｄと、アーチスト名３２ｅと、楽曲ファイル名３２ｆと、ジャンル３２ｇと、配信時刻３２ｈとの情報の組からなる。順位３２ｂと、楽曲識別子３２ｃと、楽曲名３２ｄと、アーチスト名３２ｅと、楽曲ファイル名３２ｆと、ジャンル３２ｇとは、図７に示す第１の例と同じであり説明を省略する。配信時刻３２ｈには、その情報の組で示される楽曲がブロードキャスト配信、即ち、特定の移動通信端末装置１に対してではなく、不特定の移動通信端末装置１に対して配信される時刻が記憶される。
【００３０】
図８に示す第２の例のランキング情報３２ａでは、順位３２ｂと、楽曲識別子３２ｃと、楽曲名３２ｄと、アーチスト名３２ｅと、楽曲ファイル名３２ｆと、ジャンル３２ｇとには、図７に示す第１の例と同じ情報が記憶されている。そして、順位３２ｂが「１」である情報の組では、配信時刻３２ｈは「２００５年２月１３日１０時０分」であることが記憶され、順位３２ｂが「２」である情報の組では、配信時刻３２ｈは「２００５年２月１３日１０時５分」であることが記憶され、更に、順位３２ｂが「３」である情報の組では、配信時刻３２ｈは「２００５年２月１３日１０時１０分」であることが記憶されている。
【００３１】
再生楽曲情報記憶部３３には、再生楽曲情報３３ａが記憶される。再生楽曲情報３３ａは、再生権情報３１ａと、ランキング情報３２ａとに基づいて、移動通信端末装置１がダウンロードして再生することが許諾される楽曲を示し、図９は、再生楽曲情報３３ａの一例を示す。再生楽曲情報３３ａは、番号３３ｂと、楽曲識別子３３ｃとの情報の組からなる。番号３３ｂには、「１」から再生可能楽曲数３１ｄまでのいずれかの自然数であり、楽曲識別子３３ｃには、ダウンロードして再生することが許諾される楽曲の楽曲識別子３２ｃである。
【００３２】
図９に示す例では、番号３３ｂが「１」で、楽曲識別子３３ｃが「ＡＡＡ＿１」である情報の組が記憶され、番号３３ｂが「２」で、楽曲識別子３３ｃが「ＢＢＢ＿２」である情報の組が記憶され、番号３３ｂが「３」で、楽曲識別子３３ｃが「ＣＣＣ＿６」である情報の組が記憶され、更に、番号３３ｂが「３０」で、楽曲識別子３３ｃが「ＡＡＡ＿７」である情報の組が記憶されている。
【００３３】
ダウンロード楽曲情報記憶部３４には、ダウンロードされる楽曲を示すダウンロード楽曲情報３４ａが記憶される。図１０は、ダウンロード楽曲情報３４ａの一例を示す。このダウンロード楽曲情報３４ａは、楽曲識別子３４ｂからなる。図１０に示す一例では、楽曲識別子３４ｂとして、「ＡＡＡ＿１」と、「ＣＣＣ＿６」と、「ＸＸＸ＿７７」とが記憶されている。
【００３４】
ここで、後述する様に、ダウンロード楽曲情報３４ａを構成する楽曲識別子３４ｂは、再生楽曲情報３３ａに楽曲識別子３３ｃとして含まれている。しかし、後述するように、再生楽曲情報３３ａを構成する楽曲識別子３３ｃによって識別される楽曲が既にダウンロード済みで、ランキング楽曲データ蓄積部３５に記憶されている場合、その楽曲識別子３３ｃは、ダウンロード楽曲情報３４ａに含まれない。
【００３５】
ランキング楽曲データ蓄積部３５には、ダウンロード楽曲情報３４ａに基づいてダウンロードされたランキング楽曲データ３５ａが記憶される。図１１は、ランキング楽曲データ３５ａの一例を示す。このランキング楽曲データ３５ａは、楽曲識別子３５ｂと、楽曲ファイル名３５ｃと、楽曲３５ｄと、再生期限３５ｅとの情報の組からなる。楽曲識別子３５ｂは、ダウンロードされた楽曲の楽曲識別子３４ｂであり、楽曲ファイル名３５ｃは、その楽曲の楽曲ファイル名３２ｆであり、楽曲３５ｄは、その楽曲の内容を示す情報であり、再生期限３５ｅは、その楽曲の再生が許される最終の日時であり、詳細は後述する。
【００３６】
図１１に示すランキング楽曲データ３５ａの一例では、楽曲識別子３５ｂが「ＡＡＡ＿１」であり、楽曲ファイル名３５ｃが「ａａａ」であり、再生期限３５ｅが「２００５年２月２１日」である、楽曲３５ｄが記憶され、楽曲識別子３５ｂが「ＣＣＣ＿６」であり、楽曲ファイル名３５ｃが「ｃｃｃ」であり、再生期限３５ｅが「２００５年２月２１日」である、楽曲３５ｄが記憶され、更に、楽曲識別子３５ｂが「ＸＸＸ＿７７」であり、楽曲ファイル名３５ｃが「ｘｘｘ」であり、再生期限３５ｅが「２００５年２月２１日」である、楽曲３５ｄが記憶されている。
【００３７】
個別購入楽曲データ蓄積部３６には、再生権情報３１ａに拠らず、個別に購入された楽曲のデータである個別購入楽曲データ３６ａが記憶される。図１２は、個別購入楽曲データ３６ａの一例を示す。この個別購入楽曲データ３６ａは、楽曲識別子３６ｂと、楽曲ファイル名３６ｃと、楽曲３６ｄとの情報の組からなる。楽曲識別子３６ｂと、楽曲ファイル名３６ｃと、楽曲３６ｄとは、ランキング楽曲データ３５ａの楽曲識別子３５ｂと、楽曲ファイル名３５ｃと、楽曲３５ｄと、それぞれ同種の情報であり、説明を省略する。
【００３８】
図１２に示す個別購入楽曲データ３６ａの一例では、楽曲識別子３６ｂが「ＢＢＢ＿５」であり、楽曲ファイル名３６ｃが「ｂｂｂ」である、楽曲３６ｄが記憶され、楽曲識別子３６ｂが「ＦＦＦ＿１」であり、楽曲ファイル名３６ｃが「ｆｆｆ」である、楽曲３６ｄが記憶され、更に、楽曲識別子３６ｂが「ＧＧＧ＿１」であり、楽曲ファイル名３６ｃが「ｇｇｇ」である、楽曲３６ｄが記憶されている。
【００３９】
図１３は、第１の実施形態に係るランキングサーバ装置２の構成を示すブロック図である。このランキングサーバ装置２は、装置全体の制御を行う制御部５１と、セルラーパケット網３ａ及びインターネット網３ｂとに接続される通信部５２と、送受信部５３と、楽曲処理部６０とからなる。
【００４０】
図１４は、ランキングサーバ装置２の楽曲処理部６０の詳細な構成を示すブロック図である。この楽曲処理部６０は、再生権販売部６１と、再生条件情報作成部６２と、ランキング集計部６３と、ランキング情報送信部６４と、ダウンロード楽曲データ送信部６５と、個別購入楽曲データ送信部６６と、著作権分配算出部６７と、再生権契約情報記憶部７１と、ランキング情報記憶部７２と、再生楽曲情報記憶部７３と、著作権分配情報記憶部７４と、楽曲データ蓄積部７５とからなる。
【００４１】
再生権契約情報記憶部７１には、全ての移動通信端末装置１の再生権情報３１ａの集合である再生権契約情報７１ａが記憶される。図１５は、再生権契約情報７１ａの第１の例を示す。この再生権契約情報７１ａは、契約者識別子７１ｂと、有効期限７１ｃと、再生可能楽曲数７１ｄとの情報の組からなる。契約者識別子７１ｂは、移動通信端末装置１を一意に識別する情報である。
【００４２】
そして、有効期限７１ｃは、契約者識別子７１ｂによって識別される移動通信端末装置１が有する楽曲の再生する権利の有効期限であり、再生可能楽曲数７１ｄは、その移動通信端末装置１がその権利によってダウンロードをして再生することが許諾されている楽曲の数である。
【００４３】
この第１の例の再生権契約情報７１ａは、第１の例の再生権情報３１ａが記憶された全ての移動通信端末装置１の、第１の例の再生権情報３１ａの集合であって、契約者識別子７１ｂは、契約者識別子３１ｂと、有効期限７１ｃは有効期限３１ｃと、再生可能楽曲数７１ｄは再生可能楽曲数３１ｄと、それぞれ同じ情報である。
【００４４】
図１５に示す例では、再生権契約情報７１ａに５組の情報が記憶されている。即ち、契約者識別子７１ｂとして「１００」なる情報と、有効期限７１ｃとして「２００５年２月１３日」なる情報と、再生可能楽曲数７１ｄとして「３０」なる情報との組が記憶され、契約者識別子７１ｂとして「１０１」なる情報と、有効期限７１ｃとして「２００５年３月１日」なる情報と、再生可能楽曲数７１ｄとして「５０」なる情報との組が記憶されている。
【００４５】
更に、契約者識別子７１ｂとして「１０２」なる情報と、有効期限７１ｃとして「２００５年４月１日」なる情報と、再生可能楽曲数７１ｄとして「２０」なる情報との組が記憶され、契約者識別子７１ｂとして「１０３」なる情報と、有効期限７１ｃとして「２００５年５月１日」なる情報と、再生可能楽曲数７１ｄとして「１０」なる情報との組が記憶され、契約者識別子７１ｂとして「１０４」なる情報と、有効期限７１ｃとして「２００５年５月１日」なる情報と、再生可能楽曲数７１ｄとして「３０」なる情報との組が記憶されている。
【００４６】
図１６は、再生権契約情報７１ａの第２の例を示す。この再生権契約情報７１ａは、契約者識別子７１ｂと、有効期限７１ｃと、再生可能楽曲数７１ｄと、ランキング集計条件７１ｅとの情報の組からなる。この第２の例の再生権契約情報７１ａは、第２の例の再生権情報３１ａが記憶された全ての移動通信端末装置１の第２の例の再生権情報３１ａの集合であって、契約者識別子７１ｂは、契約者識別子３１ｂと、有効期限７１ｃは有効期限３１ｃと、再生可能楽曲数７１ｄは再生可能楽曲数３１ｄと、ランキング集計条件７１ｅはランキング集計条件３１ｅと、それぞれ同じ情報である。そのため、それぞれの説明を省略する。
【００４７】
図１６に示す例では、再生権契約情報７１ａに５組の情報が記憶されていることを示す。即ち、契約者識別子７１ｂとして「１００」なる情報と、有効期限７１ｃとして「２００５年２月１３日」なる情報と、再生可能楽曲数７１ｄとして「３０」なる情報と、ランキング集計条件７１ｅとして「邦楽販売総合−演歌＋アーチストＣ」なる情報との組が記憶され、契約者識別子７１ｂとして「１０１」なる情報と、有効期限７１ｃとして「２００５年３月１日」なる情報と、再生可能楽曲数７１ｄとして「５０」なる情報と、ランキング集計条件７１ｅとして「邦楽販売総合−演歌−アーチストＡ」なる情報との組が記憶されている。
【００４８】
更に、契約者識別子７１ｂとして「１０２」なる情報と、有効期限７１ｃとして「２００５年４月１日」なる情報と、再生可能楽曲数７１ｄとして「２０」なる情報と、ランキング集計条件７１ｅとして「邦楽カラオケ総合−アーチストＢ−アーチストＣ」なる情報との組が記憶され、契約者識別子７１ｂとして「１０３」なる情報と、有効期限７１ｃとして「２００５年５月１日」なる情報と、再生可能楽曲数７１ｄとして「１０」なる情報と、ランキング集計条件７１ｅとして「（洋楽カラオケ総合×邦楽販売総合）−アーチストＣ」なる情報との組が記憶されている。
【００４９】
更に、契約者識別子７１ｂとして「１０４」なる情報と、有効期限７１ｃとして「２００５年６月１日」なる情報と、再生可能楽曲数７１ｄとして「３０」なる情報と、ランキング集計条件７１ｅとして「洋楽リクエスト総合−ポップス」なる情報との組が記憶されている。
【００５０】
図１７は、再生権契約情報７１ａの第３の例を示す。この再生権契約情報７１ａは、契約者識別子７１ｂと、有効期限７１ｃと、再生可能楽曲数７１ｄと、ランキング種別数７１ｆと、第１のランキング種別７１ｇと、第１のランキング種別の再生可能楽曲数７１ｈと、第２のランキング種別７１ｉと、第２のランキング種別の再生可能楽曲数７１ｊと、第３のランキング種別７１ｋと、第３のランキング種別の再生可能楽曲数７１ｍとの情報の組からなる。
【００５１】
この第３の例の再生権契約情報７１ａは、第３の例の再生権情報３１ａが記憶された全ての移動通信端末装置１の第３の例の再生権情報３１ａの集合であって、契約者識別子７１ｂは契約者識別子３１ｂと、有効期限７１ｃは有効期限３１ｃと、再生可能楽曲数７１ｄは再生可能楽曲数３１ｄと、ランキング種別数７１ｆはランキング種別数３１ｆと、第１のランキング種別７１ｇは第１のランキング種別３１ｇと、第１のランキング種別の再生可能楽曲数７１ｈは第１のランキング種別の再生可能楽曲数３１ｈと、第２のランキング種別７１ｉは第２のランキング種別３１ｉと、第２のランキング種別の再生可能楽曲数７１ｊは第２のランキング種別の再生可能楽曲数３１ｊと、第３のランキング種別７１ｋは第３のランキング種別３１ｋと、第３のランキング種別の再生可能楽曲数７１ｍは第３のランキング種別の再生可能楽曲数３１ｍと、それぞれ同じ情報である。そのため、それぞれの説明を省略する。
【００５２】
図１７に示す例では、再生権契約情報７１ａに５組の情報が記憶されていることを示す。即ち、契約者識別子７１ｂとして「１００」なる情報と、有効期限７１ｃとして「２００５年２月１３日」なる情報と、再生可能楽曲数７１ｄとして「３０」なる情報と、ランキング種別数７１ｆとして「３」なる情報と、第１のランキング種別７１ｇとして「邦楽販売」なる情報と、第１のランキング種別の再生可能楽曲数７１ｈとして「１５」なる情報と、第２のランキング種別７１ｉとして「邦楽販売７０年代」なる情報と、第２のランキング種別の再生可能楽曲数７１ｊとして「１０」なる情報と、第３のランキング種別７１ｋとして「カラオケ７０年代」なる情報と、第３のランキング種別の再生可能楽曲数７１ｍとして「５」なる情報との組が記憶されている。
【００５３】
また、契約者識別子７１ｂとして「１０１」なる情報と、有効期限７１ｃとして「２００５年３月１日」なる情報と、再生可能楽曲数７１ｄとして「５０」なる情報と、ランキング種別数７１ｆとして「１」なる情報と、第１のランキング種別７１ｇとして「邦楽販売」なる情報と、第１のランキング種別の再生可能楽曲数７１ｈとして「５０」なる情報とが記憶され、第２のランキング種別７１ｉと、第２のランキング種別の再生可能楽曲数７１ｊと、第３のランキング種別７１ｋと、第３のランキング種別の再生可能楽曲数７１ｍとには情報が記憶されていない情報の組が記憶されている。
【００５４】
また、契約者識別子７１ｂとして「１０２」なる情報と、有効期限７１ｃとして「２００５年４月１日」なる情報と、再生可能楽曲数７１ｄとして「２０」なる情報と、ランキング種別数７１ｆとして「３」なる情報と、第１のランキング種別７１ｇとして「邦楽販売」なる情報と、第１のランキング種別の再生可能楽曲数７１ｈとして「１０」なる情報と、第２のランキング種別７１ｉとして「邦楽販売７０年代」なる情報と、第２のランキング種別の再生可能楽曲数７１ｊとして「５」なる情報と、第３のランキング種別７１ｋとして「カラオケ７０年代」なる情報と、第３のランキング種別の再生可能楽曲数７１ｍとして「５」なる情報との組が記憶されている。
【００５５】
また、契約者識別子７１ｂとして「１０３」なる情報と、有効期限７１ｃとして「２００５年５月１日」なる情報と、再生可能楽曲数７１ｄとして「１０」なる情報と、ランキング種別数７１ｆとして「３」なる情報と、第１のランキング種別７１ｇとして「邦楽カラオケ」なる情報と、第１のランキング種別の再生可能楽曲数７１ｈとして「５」なる情報と、第２のランキング種別７１ｉとして「ジャズ販売」なる情報と、第２のランキング種別の再生可能楽曲数７１ｊとして「３」なる情報と、第３のランキング種別７１ｋとして「アーチストＡ」なる情報と、第３のランキング種別の再生可能楽曲数７１ｍとして「２」なる情報との組が記憶されている。
【００５６】
更に、契約者識別子７１ｂとして「１０４」なる情報と、有効期限７１ｃとして「２００５年６月１日」なる情報と、再生可能楽曲数７１ｄとして「３０」なる情報と、ランキング種別数７１ｆとして「２」なる情報と、第１のランキング種別７１ｇとして「邦楽販売総合」なる情報と、第１のランキング種別の再生可能楽曲数７１ｈとして「１５」なる情報と、第２のランキング種別７１ｉとして「邦楽販売総合」なる情報と、第２のランキング種別の再生可能楽曲数７１ｊとして「１５」なる情報とが記憶され、第３のランキング種別７１ｋと、第３のランキング種別の再生可能楽曲数７１ｍとには情報が記憶されていない情報の組が記憶されている。
【００５７】
ここで、既に説明した様に、第１のランキング種別７１ｇと、第２のランキング種別７１ｉと、第３のランキング種別７１ｋとは、ランキングを示す情報であり、これらのそれぞれのランキングでの順位３２ｂがそれぞれ上位の第１のランキング種別の再生可能楽曲数７１ｈ以内の楽曲と、第２のランキング種別の再生可能楽曲数７１ｊ以内の楽曲と、第３のランキング種別の再生可能楽曲数７１ｍ以内の楽曲とが、例えば、毎週毎にダウンロードを受けて再生可能な楽曲として選択される。また、ランキングを示す情報は、アーチストの名前であっても良い。その情報がアーチストの名前である場合、そのアーチストによる楽曲でいずれかのランキングでランクされた順位３２ｂが上位である楽曲が選択される。
【００５８】
ランキング情報記憶部７２には、ランキングにランクされた楽曲の属性情報を、どの順位にランクされたかを含めて示すランキング情報７２ａが記憶される。図１８は、ランキング情報７２ａの第１の例を示す。このランキング情報７２ａは、順位７２ｂと、楽曲識別子７２ｃと、楽曲名７２ｄと、アーチスト名７２ｅと、楽曲ファイル名７２ｆと、ジャンル７２ｇとの情報の組からなるが、これに限るものではない。例えば、楽曲のその他の属性である作詞者名、作曲者名、楽曲製作事業者名等を含んでも良い。また、ジャンル３２ｇは含まれないとし、異なるジャンル３２ｇの情報を異なるランキング情報３２ａとしても良い。
【００５９】
この第１の例のランキング情報７２ａは、図７に示す、移動通信端末装置１の第１の例のランキング情報３２ａと同じ種類の情報であって、順位７２ｂは順位３２ｂと、楽曲識別子７２ｃは楽曲識別子３２ｃと、楽曲名７２ｄは楽曲名３２ｄと、アーチスト名７２ｅはアーチスト名７２ｅと、楽曲ファイル名７２ｆは楽曲ファイル名７２ｆと、ジャンル７２ｇはジャンル３２ｇとそれぞれ同じ情報であり、それぞれの説明を省略する。
【００６０】
図１８に示す第１の例のランキング情報７２ａには、順位７２ｂが「１」、即ち、最上位にランクされた楽曲の楽曲識別子７２ｃは「ＡＡＡ＿１」であり、楽曲名７２ｄは「Ａ」であり、アーチスト名７２ｅは「ＡＡＡ」であり、楽曲ファイル名７２ｆは「ａａａ」であり、ジャンル７２ｇは「演歌」であることが記憶されている。また、順位７２ｂが「２」、即ち、第２位にランクされた楽曲の楽曲識別子７２ｃは「ＢＢＢ＿５」であり、楽曲名７２ｄは「Ｂ」であり、アーチスト名７２ｅは「ＢＢＢ」であり、楽曲ファイル名７２ｆは「ｂｂｂ」であり、ジャンル７２ｇは「ポップス」であることが記憶されている。
【００６１】
更に、順位７２ｂが「３」、即ち、第３位にランクされた楽曲の楽曲識別子７２ｃは「ＣＣＣ＿６」であり、楽曲名７２ｄは「Ｃ」であり、アーチスト名７２ｅは「ＣＣＣ」であり、楽曲ファイル名７２ｆは「ｃｃｃ」であり、ジャンル７２ｇは「演歌、ポップス」である、即ち、その楽曲のジャンルは、演歌でありかつポップスであることが記憶されている。
【００６２】
図１９は、ランキング情報７２ａの第２の例を示す。このランキング情報７２ａは、順位７２ｂと、楽曲識別子７２ｃと、楽曲名７２ｄと、アーチスト名７２ｅと、楽曲ファイル名７２ｆと、ジャンル７２ｇと、配信時刻７２ｈとの情報の組からなる。この第２の例のランキング情報７２ａは、図８に示す、移動通信端末装置１の第２の例のランキング情報３２ａと同じ種類の情報であって、順位７２ｂは順位３２ｂと、楽曲識別子７２ｃは楽曲識別子３２ｃと、楽曲名７２ｄは楽曲名３２ｄと、アーチスト名７２ｅはアーチスト名７２ｅと、楽曲ファイル名７２ｆは楽曲ファイル名７２ｆと、ジャンル７２ｇはジャンル３２ｇと、配信時刻７２ｈは配信時刻３２ｈと、それぞれ同じ情報であり、それぞれの説明を省略する。
【００６３】
図１９に示す第２の例のランキング情報７２ａでは、順位７２ｂと、楽曲識別子７２ｃと、楽曲名７２ｄと、アーチスト名７２ｅと、楽曲ファイル名７２ｆと、ジャンル７２ｇとには、図１８に示す第１の例と同じ情報が記憶されている。そして、順位７２ｂが「１」である情報の組では、配信時刻７２ｈは「２００５年２月１３日１０時０分」であることが記憶され、順位７２ｂが「２」である情報の組では、配信時刻７２ｈは「２００５年２月１３日１０時５分」であることが記憶され、更に、順位７２ｂが「３」である情報の組では、配信時刻７２ｈは「２００５年２月１３日１０時１０分」であることが記憶されている。
【００６４】
再生楽曲情報記憶部７３には、全ての移動通信端末装置１の再生楽曲情報３３ａの集合である再生楽曲情報７３ａが記憶される。図２０は、再生楽曲情報７３ａの一例を示す。この再生楽曲情報７３ａは、契約者識別子７３ｂと、楽曲識別子７３ｃとの情報の組からなる。そして、契約者識別子７３ｂによって識別される移動通信端末装置１では、楽曲識別子７３ｃと等しい楽曲識別子３３ｃを含む再生楽曲情報３３ａが再生楽曲情報記憶部３３に記憶されていることを示す。
【００６５】
図２０に示す再生楽曲情報７３ａには、契約者識別子７３ｂが「１００」である情報と組となって、楽曲識別子７３ｃが「ＡＡＡ＿１」と、「ＣＣＣ＿６」と、「ＸＸＸ＿７７」とである情報が記憶されている。
【００６６】
著作権分配情報記憶部７４には、楽曲の著作権者に支払われる著作権料を算出する根拠となる楽曲毎の再生が許諾された回数からなる著作権分配情報７４ａが記憶される。図２１は、著作権分配情報７４ａの一例を示す。著作権分配情報７４ａは、楽曲識別子７４ｂと、１０曲再生契約再生許諾回数７４ｃと、２０曲再生契約再生許諾回数７４ｄと、３０曲再生契約再生許諾回数７４ｅと、５０曲再生契約再生許諾回数７４ｆとの情報の組からなる。
【００６７】
楽曲識別子７４ｂは、楽曲を識別する識別子であり、再生楽曲情報７３ａの楽曲識別子７３ｃと同じ情報である。１０曲再生契約再生許諾回数７４ｃは、再生可能楽曲数７１ｄが「１０」曲であることを検索キーに再生権契約情報７１ａから契約者識別子７１ｂを検索し、その検索された契約者識別子７１ｂと契約者識別子７３ｂとが等しく、かつ、楽曲識別子７３ｃと楽曲識別子７４ｂとが等しいことを検索キーに再生楽曲情報７３ａから情報の組を検索し、その検索によって得られた組の数である。
【００６８】
また、２０曲再生契約再生許諾回数７４ｄは、再生可能楽曲数７１ｄが「２０」曲であることを検索キーに再生権契約情報７１ａから契約者識別子７１ｂを検索し、その検索された契約者識別子７１ｂと契約者識別子７３ｂとが等しく、かつ、楽曲識別子７３ｃと楽曲識別子７４ｂとが等しいことを検索キーに再生楽曲情報７３ａから情報の組を検索し、その検索によって得られた組の数である。
【００６９】
また、３０曲再生契約再生許諾回数７４ｅは、再生可能楽曲数７１ｄが「３０」曲であることを検索キーに再生権契約情報７１ａから契約者識別子７１ｂを検索し、その検索された契約者識別子７１ｂと契約者識別子７３ｂとが等しく、かつ、楽曲識別子７３ｃと楽曲識別子７４ｂとが等しいことを検索キーに再生楽曲情報７３ａから情報の組を検索し、その検索によって得られた組の数である。
【００７０】
更に、５０曲再生契約再生許諾回数７４ｆは、再生可能楽曲数７１ｄが「５０」曲であることを検索キーに再生権契約情報７１ａから契約者識別子７１ｂを検索し、その検索された契約者識別子７１ｂと契約者識別子７３ｂとが等しく、かつ、楽曲識別子７３ｃと楽曲識別子７４ｂとが等しいことを検索キーに再生楽曲情報７３ａから情報の組を検索し、その検索によって得られた組の数である。
【００７１】
図２１に示す著作権分配情報７４ａの一例では、楽曲識別子７４ｂとして「ＡＡＡ＿１」なる情報と、１０曲再生契約再生許諾回数７４ｃとして「５０」なる情報と、２０曲再生契約再生許諾回数７４ｄとして「１０」なる情報と、３０曲再生契約再生許諾回数７４ｅとして「１０」なる情報と、５０曲再生契約再生許諾回数７４ｆとして「１０」なる情報の組が記憶されている。
【００７２】
また、楽曲識別子７４ｂとして「ＡＡＡ＿７」なる情報と、１０曲再生契約再生許諾回数７４ｃとして「２０」なる情報と、２０曲再生契約再生許諾回数７４ｄとして「２０」なる情報と、３０曲再生契約再生許諾回数７４ｅとして「５０」なる情報と、５０曲再生契約再生許諾回数７４ｆとして「２０」なる情報の組が記憶されている。
【００７３】
また、楽曲識別子７４ｂとして「ＢＢＢ＿５」なる情報と、１０曲再生契約再生許諾回数７４ｃとして「１０」なる情報と、２０曲再生契約再生許諾回数７４ｄとして「３０」なる情報と、３０曲再生契約再生許諾回数７４ｅとして「３０」なる情報と、５０曲再生契約再生許諾回数７４ｆとして「５０」なる情報の組が記憶されている。
【００７４】
また、楽曲識別子７４ｂとして「ＣＣＣ＿６」なる情報と、１０曲再生契約再生許諾回数７４ｃとして「３０」なる情報と、２０曲再生契約再生許諾回数７４ｄとして「５０」なる情報と、３０曲再生契約再生許諾回数７４ｅとして「２０」なる情報と、５０曲再生契約再生許諾回数７４ｆとして「３０」なる情報の組が記憶されている。
【００７５】
また、楽曲識別子７４ｂとして「ＦＦＦ＿１」なる情報と、１０曲再生契約再生許諾回数７４ｃとして「５０」なる情報と、２０曲再生契約再生許諾回数７４ｄとして「１０」なる情報と、３０曲再生契約再生許諾回数７４ｅとして「１０」なる情報と、５０曲再生契約再生許諾回数７４ｆとして「１０」なる情報の組が記憶されている。
【００７６】
また、楽曲識別子７４ｂとして「ＧＧＧ＿１」なる情報と、１０曲再生契約再生許諾回数７４ｃとして「２０」なる情報と、２０曲再生契約再生許諾回数７４ｄとして「２０」なる情報と、３０曲再生契約再生許諾回数７４ｅとして「５０」なる情報と、５０曲再生契約再生許諾回数７４ｆとして「２０」なる情報の組が記憶されている。
【００７７】
更に、楽曲識別子７４ｂとして「ＸＸＸ＿７７」なる情報と、１０曲再生契約再生許諾回数７４ｃとして「１０」なる情報と、２０曲再生契約再生許諾回数７４ｄとして「３０」なる情報と、３０曲再生契約再生許諾回数７４ｅとして「３０」なる情報と、５０曲再生契約再生許諾回数７４ｆとして「５０」なる情報の組が記憶されている。
【００７８】
楽曲データ蓄積部７５には、楽曲データ７５ａが記憶される。図２２は、楽曲データ７５ａの一例を示す。楽曲データ７５ａは、楽曲識別子７５ｂと、楽曲ファイル名７５ｃと、楽曲７５ｄとの情報の組からなる。楽曲識別子７５ｂはランキング楽曲データ３５ａの楽曲識別子３５ｂと、楽曲ファイル名７５ｃはランキング楽曲データ３５ａの楽曲ファイル名３５ｃと、楽曲７５ｄはランキング楽曲データ３５ａの楽曲３５ｄと、それぞれ同じ情報であり、説明を省略する。
【００７９】
図２２に示す楽曲データ７５ａの一例では、楽曲識別子７５ｂが「ＡＡＡ＿１」であり、楽曲ファイル名７５ｃが「ａａａ」である、楽曲７５ｄが記憶され、楽曲識別子７５ｂが「ＡＡＡ＿７」であり、楽曲ファイル名７５ｃが「ａａａ７」である、楽曲７５ｄが記憶され、楽曲識別子７５ｂが「ＢＢＢ＿５」であり、楽曲ファイル名７５ｃが「ｂｂｂ」である、楽曲７５ｄが記憶され、楽曲識別子７５ｂが「ＣＣＣ＿６」であり、楽曲ファイル名７５ｃが「ｃｃｃ」である、楽曲７５ｄが記憶されている。
【００８０】
更に、楽曲識別子７５ｂが「ＦＦＦ＿１」であり、楽曲ファイル名７５ｃが「ｆｆｆ」である、楽曲７５ｄが記憶され、更に、楽曲識別子７５ｂが「ＧＧＧ＿１」であり、楽曲ファイル名７５ｃが「ｇｇｇ」である、楽曲７５ｄが記憶され、楽曲識別子７５ｂが「ＸＸＸ＿７７」であり、楽曲ファイル名７５ｃが「ｘｘｘ」である、楽曲７５ｄが記憶されている。
【００８１】
上記のように構成された、本発明の実施形態に係るコンテンツ通信システムの各部の動作を、まず、移動通信端末装置１の各部の動作から、図２〜図１２、図２３及び図２４を参照して説明する。通信部１２ｂは、アンテナ１２ａが受信した高周波信号を送受信部１３へ出力し、また、送受信部１３から出力される高周波信号をアンテナ１２ａより送信する。
【００８２】
送受信部１３は、通信部１２ｂからの高周波信号を増幅、周波数変換及び復調し、それによって得られたディジタル音声信号を通話部１４ｃに、制御信号を制御部１１に、また、楽曲に関する情報を楽曲処理部２０に送る。更には、通話部１４ｃから出力されるディジタル音声信号、制御部１１から出力される制御信号、及び楽曲処理部２０から出力される楽曲に関する情報を変調、周波数変換及び増幅し、高周波信号を得て、それを通信部１２ｂに送る。
【００８３】
次に、通話部１４ｃは、送受信部１３から出力されるディジタル音声信号をアナログ音声信号に変換し、それを増幅してスピーカ１４ａに送る。また、マイクロフォン１４ｂから出力されるアナログ音声信号を増幅し、それをディジタル音声信号に変換して送受信部１３に送信する。
【００８４】
次に、表示部１５の動作を説明する。表示部１５は、制御部１１に制御されることで、文字・数字や画像データの表示動作を行い、表示されているデータは、入力装置１６からの入力操作や、着信信号に応答して制御部１１からの指示を受けることで切換わる。
【００８５】
入力装置１６は、通信相手の電話番号などを指定するための数字キーと複数の機能キーを含むキーからなる。そして、入力装置１６のキーが操作されると、そのキーの識別子が制御部１１に通知され、制御部１１によって、表示部１５に文字として表示され、または、制御が行われる。
【００８６】
楽曲処理部２０は、セルラーパケット網３ａ及び／またはインターネット網３ｂを経由して、ランキングサーバ装置２から、例えば、毎週毎に楽曲をダウンロードして再生する権利を得て、権利を得た楽曲を定期的にダウンロードし、ダウンロードされた楽曲を記憶する。楽曲処理部２０の動作の詳細は、後述する。
【００８７】
復号化部４１は、入力装置１６の所定のキーが操作されることによって制御部１１が起動して動作を開始する。そして、楽曲処理部２０のランキング楽曲データ蓄積部３５に記憶されたランキング楽曲データ３５ａ、個別購入楽曲データ蓄積部３６に記憶された個別購入楽曲データ３６ａ、または、外部記憶媒体４３に記憶された楽曲データ４３ａを読み込んで、読み込まれた楽曲３５ｄまたは楽曲３６ｄが符号化された情報である場合、その情報を復号して、復号された楽曲をスピーカ４１ａから発生させて再生する。一方、符号化されていない情報である場合、その情報をスピーカ４１ａから発生させて再生する。
【００８８】
また、復号化部４１は、読み込まれた楽曲３５ｄまたは楽曲３６ｄに映像情報が含まれている場合、その映像情報が符号化された情報である場合、その情報を復号して、復号された映像情報を表示部１５に表示する。一方、符号化されていない情報である場合、その映像情報を表示部１５に表示する。また、読み込まれた楽曲３５ｄまたは楽曲３６ｄにプログラムが含まれている場合、そのプログラムを実行させる。
【００８９】
なお、ランキング楽曲データ蓄積部３５に記憶されたランキング楽曲データ３５ａを読み込んだ場合、及び、外部記憶媒体４３に記憶された楽曲データ４３ａがランキング楽曲データ３５ａである場合、復号化部４１は、そのランキング楽曲データ３５ａの再生期限３５ｅが、動作時の時刻より以前の時刻であれば、楽曲３５ｄの再生（表示及びプログラムの実行を含む。）の動作を行わない。
【００９０】
この再生期限３５ｅを参照する動作によって、復号化部４１は、所定の期間経過後は再生をしない処理が可能となる。そして、所定の期間以内であれば楽曲３５ｄを再生し、一方、所定の期間外であれば再生しない処理をランキング楽曲データ３５ａのみを参照して行うことができる。
【００９１】
または、復号化部４１は、上記ランキング楽曲データ３５ａの楽曲識別子３５ｂが再生楽曲情報３３ａに楽曲識別子３３ｃとして含まれていない場合、楽曲３５ｄの再生の動作を行わないとしても良い。この再生楽曲情報３３ａの楽曲識別子３３ｃを参照する動作によって、所定の期間経過後は再生をしない処理が可能となる。また、再生楽曲情報３３ａに更に再生期限を付し、復号化部４１は、その再生期限を参照しても良い。これらの再生楽曲情報３３ａを参照する処理に依れば、再生期限に至っていない、即ち、再生可能が楽曲を再生楽曲情報３３ａとランキング情報３２ａとの少量の情報を参照して一覧表示することができる。
【００９２】
更に、復号化部４１は、楽曲処理部２０のランキング楽曲データ蓄積部３５に記憶されたランキング楽曲データ３５ａ、または、外部記憶媒体４３に記憶された楽曲データ４３ａを読み込んで、読み込まれた楽曲３５ｄのそれぞれに再生が可能な回数が付加されている場合、その回数を超える再生を行わない。
【００９３】
近距離無線送受信部４２ｂは、無線ＬＡＮ方式、または、ブルートゥース（登録商標）方式によって近距離の無線通信を行う装置であり、アンテナ４２ａが受信した高周波信号を増幅、周波数変換及び復調し、それによって得られた楽曲に関する情報を楽曲処理部２０に送る。また、楽曲処理部２０から出力される楽曲に関する情報を変調、周波数変換及び増幅し、高周波信号を得て、それをアンテナ４２ａより送信する。
【００９４】
次に、楽曲処理部２０の動作の詳細を説明する。まず、再生権購入部２１は、ランキングにランクされた楽曲を、例えば、毎週毎にダウンロードし、そして、そのダウンロードされた楽曲を再生する権利をランキングサーバ装置２から購入する装置である。即ち、再生権購入部２１は、入力装置１６の所定のキーが操作された場合、制御部１１によって起動されて動作を開始し、入力装置１６の所定のキー操作によって識別される上記再生する権利の購入の要求をランキングサーバ装置２に送信する。
【００９５】
この際、再生権購入部２１は、移動通信端末装置１が加入している移動通信システムの事業者が移動通信端末装置１を識別できる１種類、または、複数の種類の情報を併せて送信する。この識別のための情報には、移動通信端末装置１の電話番号や、装置の製造番号などがある。そして、この情報は、再生権情報３１ａの契約者識別子３１ｂとして使用される。
【００９６】
続いて、再生権購入部２１は、ランキングサーバ装置２から上記要求が可能である旨の信号を受信し、上記要求の詳細をランキングサーバ装置２に送信する。要求の詳細は、権利の有効期限と、楽曲数を１０、２０、３０、または、５０曲の中のいずれかを選択して指定することを含み、その他の詳細は、以下の３つの場合のいずれかである。第１は、上記以外には、要求の詳細がない場合である。第２は、ランキング集計条件を指定する場合である。第３は、３種類以内のランキングの種別数を指定する場合である。
【００９７】
続いて、再生権購入部２１は、ランキングサーバ装置２から上記要求の詳細からなる再生権の契約がなされたとの情報を受信して、上記要求の詳細を再生権情報３１ａとして再生権情報記憶部３１に記憶して動作を終了する。即ち、上記第１の場合、図４に示す、第１の例の再生権情報３１ａを記憶する。上記第２の場合、図５に示す、第２の例の再生権情報３１ａを記憶する。上記第３の場合、図６に示す、第３の例の再生権情報３１ａを記憶する。ただし、第１のランキング種別の再生可能楽曲数３１ｈと、第２のランキング種別の再生可能楽曲数３１ｊと、第３のランキング種別の再生可能楽曲数３１ｍとは上記要求に含まれていないので、記憶しない。
【００９８】
次に、再生条件入力部２２の動作を説明する。再生条件入力部２２は、再生条件、即ち、第１のランキング種別の再生可能楽曲数３１ｈと、第２のランキング種別の再生可能楽曲数３１ｊと、第３のランキング種別の再生可能楽曲数３１ｍとを入力して、ランキングサーバ装置２に送信する装置である。
【００９９】
即ち、再生条件入力部２２は、図６に示す、第３の例の再生権情報３１ａが再生権情報記憶部３１に記憶されており、かつ、入力装置１６の所定のキーが操作された場合、制御部１１によって起動されて動作を開始し、入力装置１６の所定のキー操作によって上記第１のランキング種別の再生可能楽曲数３１ｈと、第２のランキング種別の再生可能楽曲数３１ｊと、第３のランキング種別の再生可能楽曲数３１ｍとを入力する。
【０１００】
なお、再生条件入力部２２は、第１のランキング種別の再生可能楽曲数３１ｈが示す楽曲数と、第２のランキング種別の再生可能楽曲数３１ｊが示す楽曲数と、第３のランキング種別の再生可能楽曲数３１ｍが示す楽曲数との和は、再生可能楽曲数３１ｄが示す楽曲数であるように、第１のランキング種別の再生可能楽曲数３１ｈと、第２のランキング種別の再生可能楽曲数３１ｊと、第３のランキング種別の再生可能楽曲数３１ｍとを定める。
【０１０１】
そして、再生条件入力部２２は、再生条件を更新（新規格納を含む。）する旨の要求をランキングサーバ装置２に送信する。この送信に応じてランキングサーバ装置２から送信された上記要求を了解したとの信号を受信し、上記入力された再生条件をランキングサーバ装置２に送信する。この送信に応じてランキングサーバ装置２から送信された、上記更新が完了されたとの信号を受信して、上記再生条件を図６に示す、第３の例の再生権情報３１ａの第１のランキング種別の再生可能楽曲数３１ｈと、第２のランキング種別の再生可能楽曲数３１ｊと、第３のランキング種別の再生可能楽曲数３１ｍとに記憶して、動作を終了する。
【０１０２】
この再生条件入力部２２の動作により、図６に示す、第３の例の再生権情報３１ａが記憶されている場合、移動通信端末装置１の使用者の好みに従って、任意の時点で再生条件、即ち、第１のランキング種別の再生可能楽曲数３１ｈと、第２のランキング種別の再生可能楽曲数３１ｊと、第３のランキング種別の再生可能楽曲数３１ｍとを更新することができる。
【０１０３】
次に、ランキング情報受信部２３の動作を説明する。ランキング情報受信部２３は、ランキングサーバ装置２からランキング情報を送信する旨の信号を受信して動作を開始し、その送信される情報を受信することを受諾する旨の回答を送信する。続いて、ランキングサーバ装置２から送信されたランキング情報を受信して、受信されたランキング情報をランキング情報３２ａとしてランキング情報記憶部３２に記憶して、上記受信が終了した旨の信号をランキングサーバ装置２に送信して、動作を終了する。なお、後述するように、ランキングサーバ装置２が送信するランキング情報は、再生権利情報３１ａに依存した移動通信端末装置１で必要とするランキング情報である。
【０１０４】
ここで、ランキング情報３２ａは、図７に示す第１の例のランキング情報３２ａであっても良く、図８に示す第２の例のランキング情報３２ａであっても良い。なお、ランキング情報受信部２３は、ランキングサーバ装置２にランキング情報の送信を要求しても良い。例えば、再生権購入部２１によって上記権利の購入がされた際に、ランキング情報の送信を要求しても良い。
【０１０５】
次に、ダウンロード楽曲判定部２４の動作を説明する。ダウンロード楽曲判定部２４は、再生権情報３１ａと、ランキング情報３２ａと、個別購入楽曲データ３６ａとから再生楽曲情報３３ａを作成して再生楽曲情報記憶部３３に格納し、また、更にランキング楽曲データ３５ａとからダウンロード楽曲情報３４ａを作成してダウンロード楽曲情報記憶部３４に格納する装置である。ここで、ダウンロード楽曲判定部２４の動作完了の際、再生楽曲情報３３ａは、再生するために選択された、再生権情報３１ａの再生可能楽曲数３１ｄ個の楽曲を識別する情報を含む。
【０１０６】
ダウンロード楽曲判定部２４の動作を、再生権情報３１ａが図４に示す第１の例または図５に示す第２の例である場合と、図６に示す第３の例である場合との２つの場合に分けて説明する。
【０１０７】
図２３は、再生権情報３１ａが図４に示す第１の例または図５に示す第２の例である場合のダウンロード楽曲判定部２４の動作を示すフローチャートである。ダウンロード楽曲判定部２４は、再生権情報３１ａと、ランキング情報３２ａと、個別購入楽曲データ３６ａとのいずれかが更新された際に、制御部１１によって起動されて動作を開始し（ステップＳ２４ａ）、そして、再生楽曲情報３３ａと、ダウンロード楽曲情報３４ａとを消去する（ステップＳ２４ｂ）。なお、ダウンロード楽曲判定部２４は、再生楽曲情報３３ａを消去することなく、以前の再生楽曲情報３３ａとして再生楽曲情報記憶部３３に記憶させても良い。
【０１０８】
次に、ダウンロード楽曲判定部２４は、ランキング情報３２ａの情報の組を指定する添字変数ｉに０に設定し（ステップＳ２４ｃ）、再生権情報３１ａを読み込む（ステップＳ２４ｄ）。そして、変数Ｎに、読み込まれた再生権情報３１ａの再生可能楽曲数３１ｄを設定する（ステップＳ２４ｅ）。
【０１０９】
ここで、再生楽曲情報記憶部３３に記憶される再生楽曲情報３３ａの数は、再生可能楽曲数３１ｄであり、変数Ｎは、再生可能楽曲数３１ｄから既に再生楽曲情報記憶部３３に記憶された再生楽曲情報３３ａの数を減じた数を示す。
【０１１０】
次に、添字変数ｉに１を加え（ステップＳ２４ｆ）、ランキング情報３２ａの順位３２ｂがｉと等しい情報の組を読み込む（ステップＳ２４ｇ）。
【０１１１】
ここで、再生権情報３１ａが図４に示す第１の例または図５に示す第２の例である場合、ランキング情報記憶部３２には、１つのランキング情報３２ａが記憶されているので、ダウンロード楽曲判定部２４は、ステップＳ２４ｇで、そのランキング情報３２ａの情報の組を読み込む。
【０１１２】
次に、ダウンロード楽曲判定部２４は、読み込まれたランキング情報３２ａに含まれる楽曲識別子３２ｃと楽曲識別子３６ｂとが等しい情報の組を個別購入楽曲データ３６ａから検索することにより、楽曲識別子３２ｃで識別される楽曲が楽曲３６ｄとして個別購入楽曲データ蓄積部３６に記憶されているか否か、即ち、その楽曲が個別購入済であるか否かを調べる（ステップＳ２４ｈ）。
【０１１３】
記憶されていない、即ち、個別購入済でない場合（ステップＳ２４ｈの「ＮＯ」）、ダウンロード楽曲判定部２４は、その楽曲を再生することができる楽曲であると選択し、読み込まれたランキング情報３２ａに含まれる楽曲識別子３２ｃを、再生楽曲情報３３ａの楽曲識別子３３ｃとする情報の組を作成して、再生楽曲情報記憶部３３に追加格納する（ステップＳ２４ｉ）。
【０１１４】
ここで、再生楽曲情報３３ａの番号３３ｂは、１から始まる一連番号とする。これによって、番号３３ｂにより小さい番号が記憶された楽曲識別子３３ｃは、ランキング情報３２ａでより上位にランクされたことを意味し、例えば、再生楽曲情報３３ａを参照して再生可能な楽曲の一覧表示を行う場合、上位にランクされた楽曲程上部に表示することができる。
【０１１５】
また、再生楽曲情報３３ａの情報の組に、更に再生期限を含み、ダウンロード楽曲判定部２４は、その再生期限を追加格納するとしても良い。再生楽曲情報３３ａに含まれる再生期限については、既に復号化部４１の動作説明で述べた通りである。そして、Ｎから１を減じる（ステップＳ２４ｊ）ことによって、１つの楽曲が選択されたことを記憶する。
【０１１６】
一方、記憶されている、即ち、個別購入済である場合（ステップＳ２４ｈの「ＹＥＳ」）、ダウンロード楽曲判定部２４は、ステップＳ２４ｉの楽曲識別子３２ｃを再生楽曲情報３３ａの楽曲識別子３３ｃとする情報の組を作成して再生楽曲情報記憶部３３に追加格納する動作と、ステップＳ２４ｊの変数Ｎから１を減じる動作を行わずに、以後、ステップＳ２４ｈで記憶されていない、即ち、個別購入済でない場合と同じ動作を行う。この動作によって、上記楽曲を既に購入している場合、別の楽曲をダウンロードして再生することが許諾される。
【０１１７】
次に、ダウンロード楽曲判定部２４は、読み込まれたランキング情報３２ａに含まれる楽曲識別子３２ｃと楽曲識別子３５ｂとが等しい情報の組をランキング楽曲データ３５ａから検索することにより、楽曲識別子３２ｃで識別される楽曲が楽曲３５ｄとしてランキング楽曲データ蓄積部３５に記憶されているか否かを調べる（ステップＳ２４ｋ）。
【０１１８】
記憶されていない場合（ステップＳ２４ｋの「ＮＯ」）、ダウンロード楽曲判定部２４は、読み込まれたランキング情報３２ａに含まれる楽曲識別子３２ｃをダウンロード楽曲情報３４ａの楽曲識別子３４ｂとする情報を作成して、ダウンロード楽曲情報３４ａに追加記憶する（ステップＳ２４ｍ）。
【０１１９】
一方、記憶されている場合（ステップＳ２４ｋの「ＹＥＳ」）、ダウンロード楽曲判定部２４は、ステップＳ２４ｍの楽曲識別子３２ｃをダウンロード楽曲情報３４ａの楽曲識別子３４ｂとする情報を作成してダウンロード楽曲情報３４ａに追加記憶する動作を行わずに、以後、ステップＳ２４ｋで記憶されていない場合と同じ動作を行う。
【０１２０】
この動作によって、以前に、例えば、先週、ダウンロード楽曲判定部２４によってダウンロードされた楽曲を重ねてダウンロードすることがなく、ランキングサーバ装置２から移動通信端末装置１に送信されるデータ量の削減ができる。
【０１２１】
なお、ステップＳ２４ｂで、以前の再生楽曲情報３３ａを再生楽曲情報記憶部３３に記憶する動作が行われている場合、ステップＳ２４ｋで、ダウンロード楽曲判定部２４は、読み込まれたランキング情報３２ａに含まれる楽曲識別子３２ｃと楽曲識別子３３ｃとが等しい情報の組を以前に記憶された再生楽曲情報３３ａから検索することにより、楽曲識別子３２ｃで識別される楽曲が楽曲３５ｄとしてランキング楽曲データ蓄積部３５に記憶されているか否かを調べても良い。
【０１２２】
次に、ダウンロード楽曲判定部２４は、Ｎが０に等しいか調べることにより再生可能楽曲数３１ｄ個の楽曲識別子３３ｃが再生楽曲情報３３ａに含まれたか否かを調べる（ステップＳ２４ｎ）。等しい場合（ステップＳ２４ｎの「ＹＥＳ」）、既に再生可能楽曲数３１ｄだけの情報の組が再生楽曲情報記憶部３３に記憶されているので、ダウンロード楽曲判定部２４は、動作を終了する（ステップＳ２４ｏ）。一方、等しくない場合（ステップＳ２４ｎの「ＮＯ」）、ステップＳ２４ｆの添字ｉに１を加える動作以降に移ることによって、次の順位３２ｂのランキング情報３２ａを読み込んで同様の処理を行う。
【０１２３】
図２４は、再生権情報３１ａが図６に示す第３の例である場合のダウンロード楽曲判定部２４の動作を示すフローチャートである。この場合のダウンロード楽曲判定部２４の動作は、図２３にフローチャートを示した再生権情報３１ａが図４に示す第１の例、または、図５に示す第２の例である場合のダウンロード楽曲判定部２４の動作と類似している。そこで、同じ動作には同じ符号を付して説明を省略する。
【０１２４】
ダウンロード楽曲判定部２４は、ステップＳ２４ｂの再生楽曲情報３３ａと、ダウンロード楽曲情報３４ａとを消去する動作の後、再生権情報３１ａのランキング種別数３１ｆを読み込み（ステップＳ２４ｑ）、変数ｊにそのランキング種別数３１ｆを設定する（ステップＳ２４ｒ）。
【０１２５】
そして、１からランキング種別数３１ｆまでランキングの中で処理中のランキングを示すための変数ｋに０を設定する（ステップＳ２４ｓ）。
【０１２６】
次に、ダウンロード楽曲判定部２４は、ランキング情報３２ａの情報の組を指定する添字変数ｉに０を設定し（ステップＳ２４ｔ）、変数ｋに１を加え（ステップＳ２４ｕ）、再生権情報３１ａの第ｋのランキング種別の再生可能楽曲数を読み込み（ステップＳ２４ｖ）、変数Ｎに読み込まれた第ｋのランキング種別の再生可能楽曲数を設定する（ステップＳ２４ｗ）。ここで、図６に示す再生権情報３１ａの場合、１≦ｋ≦３であり、第ｋのランキング種別の再生可能楽曲数は、第１のランキング種別の再生可能楽曲数３１ｈ、第２のランキング種別の再生可能楽曲数３１ｊまたは第３のランキング種別の再生可能楽曲数３１ｍである。
【０１２７】
次に、ダウンロード楽曲判定部２４は、ステップＳ２４ｆの添字変数ｉに１を加える動作から、ステップＳ２４ｎのＮが０に等しいか否かによって分岐する動作を行う。なお、図６に示す再生権情報３１ａの場合、１≦ｋ≦３であり、ステップＳ２４ｇで読み込む順位３２ｂが変数ｉに等しい情報の組を読み込むランキング情報３２ａは、第１のランキング種別３１ｇ、第２のランキング種別３１ｉまたは第３のランキング種別３１ｋに対応するランキング情報３２ａである。
【０１２８】
また、ステップＳ２４ｈの楽曲識別子３２ｃで識別される楽曲が楽曲３６ｄとして個別購入楽曲データ蓄積部３６に記憶されているか否かを調べる動作で、購入済でない場合、ダウンロード楽曲判定部２４は、続いて、読み込まれたランキング情報３２ａに含まれる楽曲識別子３２ｃが既に再生楽曲情報３３ａの楽曲識別子３３ｃとして記憶されているか否かを調べる（ステップＳ２４ｘ）。
【０１２９】
記憶されていない場合（ステップＳ２４ｘの「ＮＯ」）、ダウンロード楽曲判定部２４は、ステップＳ２４ｉの楽曲識別子３２ｃを再生楽曲情報３３ａの楽曲識別子３３ｃとする情報の組を作成して、再生楽曲情報記憶部３３に追加格納する動作以降を行い、記憶されている場合（ステップＳ２４ｘの「ＹＥＳ」）、その追加格納する動作と、ステップＳ２４ｊの変数Ｎから１を減じる動作とを行わない。
【０１３０】
ステップＳ２４ｎでＮが０に等しいか調べることにより第ｋのランキング種別の再生可能楽曲数個の楽曲識別子３３ｃが再生楽曲情報３３ａに含まれたか否かを調べ、等しい場合、ダウンロード楽曲判定部２４は、続いて、処理すべきランキングを示す変数ｋと、ランキング種別数３１ｆが設定された変数ｊとが等しいか否かを調べる（ステップＳ２４ｙ）。等しい場合（ステップＳ２４ｙの「ＹＥＳ」）、全ての処理すべきランキングの処理が終了したので、ステップＳ２４ｏの終了の動作をする。等しくない場合（ステップＳ２４ｙの「ＮＯ」）、次の処理すべきランキングの処理を行うべく、ステップＳ２４ｔの添字変数ｉに０を設定する以降の動作に戻る。
【０１３１】
次に、ダウンロード楽曲データ受信部２５の動作を説明する。ダウンロード楽曲データ受信部２５は、ダウンロード楽曲判定部２４が動作を終了した後、制御部１１によって起動されて動作を開始し、まず、再生楽曲情報３３ａをランキングサーバ装置２に送信する。そして、再生楽曲情報３３ａの受信が完了したとの通知を受信して、ダウンロード楽曲情報３４ａの楽曲識別子３４ｂを１つ読み込んで、読み込まれた楽曲識別子３４ｂで識別される楽曲のダウンロード要求をランキングサーバ装置２に送信する。
【０１３２】
ダウンロード楽曲データ受信部２５は、この送信に応じてランキングサーバ装置２から送信された楽曲ファイル名と、楽曲と、再生期限とを受信して、上記楽曲識別子３４ｂを楽曲識別子３５ｂとし、受信された楽曲ファイル名を楽曲ファイル名３５ｃとし、受信された楽曲を楽曲３５ｄとし、受信された再生期限を再生期限３５ｅとする１組のランキング楽曲データ３５ａを作成して、ランキング楽曲データ蓄積部３５に追加記憶する。続いて、ダウンロード楽曲データ受信部２５は、第１の楽曲の受信が完了したとの通知をランキングサーバ装置２に送信して、１つの楽曲のダウンロード処理を終了する。
【０１３３】
次に、ダウンロード楽曲データ受信部２５は、ダウンロード楽曲情報３４ａの次の楽曲識別子３４ｂを読み込んで、読み込まれた楽曲識別子３４ｂで識別される楽曲のダウンロード要求をランキングサーバ装置２に送信する。そして、上述したように、この送信に対してランキングサーバ装置２から送信された楽曲ファイル名と、楽曲と、再生期限とを受信して、次の１組のランキング楽曲データ３５ａを作成して、ランキング楽曲データ蓄積部３５に追加記憶し、第２の楽曲の受信が完了したとの通知をランキングサーバ装置２に送信する。
【０１３４】
ダウンロード楽曲データ受信部２５は、ダウンロード楽曲情報３４ａの全ての楽曲識別子３４ｂを読み込んで上述の動作を行って、楽曲ダウンロードが終了したとの通知をランキングサーバ装置２に送信する。そして、ランキングサーバ装置２から送信された上記通知を受信したとの通知を受信して、動作を終了する。
【０１３５】
ランキング情報記憶部３２に記憶されたランキング情報３２ａが図８に示す第２の例である場合、ダウンロード楽曲データ受信部２５は、再生楽曲情報３３ａをランキングサーバ装置２に送信した後、上記の動作に代えて、配信に依って楽曲等を受信しても良い。
【０１３６】
即ち、ダウンロード楽曲データ受信部２５は、ダウンロード楽曲情報３４ａの楽曲識別子３４ｂと楽曲識別子３２ｃとが等しい情報の組をランキング情報３２ａから検索し、検索された配信時刻３２ｈにセルラーパケット網３ａ及び／またはインターネット網３ｂを介して配信される楽曲ファイル名と、楽曲と、再生期限とを受信して、上記説明の通り、１組のランキング楽曲データ３５ａを作成して、ランキング楽曲データ蓄積部３５に追加記憶する。
【０１３７】
配信に依って楽曲等を受信する場合、ダウンロード楽曲データ受信部２５は、上記配信時刻３２ｈまでは動作を行わない。そのため、電池４６に蓄えられた電力の消費を削減することができる。
【０１３８】
なお、ダウンロード楽曲判定部２４の動作説明で述べた通り、再生楽曲情報３３ａに楽曲識別子３３ｃが含まれる楽曲は、移動通信端末装置１がダウンロードを受けて再生することが許諾されている。しかし、ランキング楽曲データ３５ａの楽曲識別子３５ｂを参照することにより、その楽曲が既にランキング楽曲データ３５ａに含まれている場合、ダウンロード楽曲データ受信部２５は、その楽曲をダウンロードしない。
【０１３９】
しかし、そのランキング楽曲データ３５ａの再生期限３５ｅは適切な値に更新される必要がある。そこで、ダウンロード楽曲データ受信部２５は、そのランキング楽曲データ３５ａの再生期限３５ｅのみをダウンロードする。または、動作の際の時刻に所定の時間、例えば、１週間の時間と余裕の時間を加えた時刻に、そのランキング楽曲データ３５ａの再生期限３５ｅを更新する。
【０１４０】
上記説明した動作により、たとえランキング楽曲データ３５ａが誤って削除されたとしても、ダウンロード楽曲データ受信部２５がダウンロードを要求することが許諾されている楽曲の楽曲識別子３４ｂからなるダウンロード楽曲情報３４ａは、ダウンロード楽曲判定部２４によって再生権情報３１ａと、ランキング情報３２ａと、個別購入楽曲データ３６ａとから再度作成することが可能なので、ダウンロード楽曲データ受信部２５は、誤って消去されたランキング楽曲データ３５ａをダウンロードして記憶することができる。
【０１４１】
なお、ダウンロード楽曲データ受信部２５は、ランキング楽曲データ蓄積部３５に記憶されたランキング楽曲データ３５ａの中で、再生期限３５ｅが古いものから削除することによって、ランキング楽曲データ蓄積部３５が用いる記憶容量の削減を行っても良い。再生期限３５ｅが古いランキング楽曲データ３５ａの楽曲識別子３５ｂは、上位の順位３２ｂと組になった楽曲識別子３２ｃとしてランキング情報３２ａに含まれる可能性が低いからである。
【０１４２】
なお、その古いランキング楽曲データ３５ａの楽曲識別子３５ｂが上位の順位３２ｂと組になった楽曲識別子３２ｃとしてランキング情報３２ａに含まれた場合、その楽曲識別子３２ｃで識別される楽曲は再度ダウンロード楽曲データ受信部２５がダウンロードするので、何ら支障がないことは上記説明により明らかである。
【０１４３】
ただし、ダウンロード楽曲判定部２４が以前の再生楽曲情報３３ａを再生楽曲情報記憶部３３に記憶する動作を行う場合、ダウンロード楽曲データ受信部２５は、記憶されている再生楽曲情報３３ａに含まれる楽曲識別子３３ａと楽曲識別子３５ｂとが等しいランキング楽曲データ３５ａを削除しない。これによって、ランキング楽曲データ３５ａと再生楽曲情報３３ａとの整合を取る。
【０１４４】
次に、個別購入楽曲データ受信部２６の動作を説明する。個別購入楽曲データ受信部２６は、楽曲をダウンロードによって購入する装置である。即ち、入力装置１６の所定のキーが操作された場合、制御部１１によって起動されて動作を開始する。そして、ランキング情報３２ａの楽曲名３２ｄと、アーチスト名３２ｅとを表示部１５に表示する。
【０１４５】
そして、入力装置１６の所定のキーの操作によって表示された楽曲名３２ｄと、アーチスト名３２ｅとを選択し、選択された楽曲名３２ｄと、アーチスト名３２ｅと組をなしている楽曲識別子３２ｃを得る。
【０１４６】
次に、個別購入楽曲データ受信部２６は、得られた楽曲識別子３２ｃをランキングサーバ装置２に送信する。この送信に応じてランキングサーバ装置２から送信された楽曲ファイル名と、楽曲とを受信して、上記楽曲識別子３２ｃを楽曲識別子３６ｂとし、受信された楽曲ファイル名を楽曲ファイル名３６ｃとし、受信された楽曲を楽曲３６ｄとする１組の個別購入楽曲データ３６ａを作成して、個別購入楽曲データ蓄積部３６に追加記憶する。
【０１４７】
続いて、個別購入楽曲データ受信部２６は、楽曲ダウンロードが終了したとの通知をランキングサーバ装置２に送信する。そして、ランキングサーバ装置２から送信された上記通知を受信したとの通知を受信して、動作を終了する。
【０１４８】
なお、個別購入楽曲データ受信部２６は、上記楽曲識別子３２ｃと楽曲識別子３５ｂとが等しい情報の組がランキング楽曲データ３５ａに含まれているか否かを検索し、含まれていれば、上記楽曲識別子３２ｃをランキングサーバ装置２に送信する際、楽曲ファイル名と、楽曲とは自装置に記憶済である旨を併せて送信し、ランキングサーバ装置２に楽曲ファイル名と、楽曲とを送信しないことを指示する。
【０１４９】
そして、個別購入楽曲データ受信部２６は、上記楽曲識別子３２ｃを楽曲識別子３６ｂとし、上記検索によって得られた組の楽曲ファイル名３５ｃを楽曲ファイル名３６ｃとし、上記検索によって得られた組の楽曲３５ｄを楽曲３６ｄとする１組の個別購入楽曲データ３６ａを作成して、個別購入楽曲データ蓄積部３６に追加記憶する。
【０１５０】
この、上記楽曲識別子３２ｃと楽曲識別子３５ｂとが等しい情報の組がランキング楽曲データ３５ａに含まれているか否かを検索する処理によって、ランキングサーバ装置２から移動通信端末装置１に送信されるデータ量の削減ができる。
【０１５１】
また、個別購入楽曲データ受信部２６は、購入する楽曲を、ランキング情報３２ａを参照して選択するとして説明したが、これに限るものではない。ランキングサーバ装置２に楽曲目録（図示せず）の送信を要求し、送信された楽曲目録によって選択しても良い。また、楽曲を識別する情報または楽曲を検索する情報を入力装置１６の所定キーの操作によって入力し、入力された情報をランキングサーバ装置２に送信しても良い。
【０１５２】
なお、移動通信端末装置１は、ランキング情報閲覧部（図示せず）を有する構成としても良い。ランキング情報閲覧部は、ランキング情報３２ａを表示する装置である。即ち、ランキング情報閲覧部は、入力装置１６の所定のキーが操作された場合、制御部１１によって起動されて動作を開始する。そして、ランキング情報３２ａをランキング情報記憶部３２から読み込んで、表示部１５に表示する。ランキング情報閲覧部の動作は、個別購入楽曲データ受信部２６の動作と類似しているが、ランキング情報閲覧部によれば、使用者が誤って楽曲を購入する恐れなしにランキング情報３２ａを閲覧することが可能である。
【０１５３】
次に、ランキングサーバ装置２の各部の動作を、図１３〜図２４を参照して説明する。まず、通信部５２は、セルラーパケット網３ａとの信号の送受信及びインターネット網３ｂとの信号の送受信を行う。送受信部５３は、通信部５２によって受信された信号から得られた制御信号を制御部５１に、また、楽曲に関する情報を楽曲処理部６０に送る。更には、制御部５１から出力される制御信号、及び楽曲処理部６０から出力される楽曲に関する情報を通信部５２に送る。
【０１５４】
次に、楽曲処理部６０の動作の詳細を説明する。まず、再生権販売部６１は、ランキングにランクされた楽曲を、例えば、毎週毎にダウンロードし、そして、そのダウンロードされた楽曲を再生する権利を移動通信端末装置１に販売する装置である。即ち、再生権販売部６１は、移動通信端末装置１から送信された再生する権利の購入の要求と、併せて、移動通信端末装置１が加入している移動通信システムの事業者が移動通信端末装置１を識別できる１種類、または、複数の種類の情報を受信する。
【０１５５】
この要求の受信に応じて、再生権販売部６１は、上記要求を受け入れる旨を移動通信端末装置１に送信する。そして、移動通信端末装置１から送信された上記要求の詳細を受信して、その受信された要求の詳細からなる情報を再生権契約情報７１ａとして再生権契約情報記憶部７１に追加記憶し、その要求の詳細からなる情報を移動通信端末装置１に送信して動作を終了する。上記移動通信端末装置１を識別できる１種類、または、複数の種類の情報は、再生権契約情報７１の契約者識別子７１ｂとして使われる。
【０１５６】
図１５は、再生権契約情報７１ａの第１の例を示す。この再生権契約情報７１ａの第１の例は、図４に示す第１の例の再生権情報３１ａの再生権の販売に関して追加される情報である。
【０１５７】
図１６は、再生権契約情報７１ａの第２の例を示す。この再生権契約情報７１ａの第２の例は、図５に示す第２の例の再生権情報３１ａの再生権の販売に関して追加される情報である。また、図１７は、再生権契約情報７１ａの第３の例を示す。この再生権契約情報７１ａの第３の例は、図６に示す第３の例の再生権情報３１ａの再生権の販売に関して追加される情報である。なお、有効期限７１ｃが示す日時以後、その有効期限７１ｃを含む情報の組は無効となる。
【０１５８】
次に、再生条件情報作成部６２の動作を説明する。再生条件情報作成部６２は、移動通信端末装置１から送信された再生条件を更新する旨を要求する信号を受信して、動作を開始する。そして、この信号の受信に応じて、その要求が可能であるとの信号を移動通信端末装置１に送信する。この送信に応じて移動通信端末装置１から送信された再生条件、即ち、第１のランキング種別の再生可能楽曲数と、第２のランキング種別の再生可能楽曲数と、第３のランキング種別の再生可能楽曲数とを受信する。
【０１５９】
そして、再生条件情報作成部６２は、上記要求を送信した移動通信端末装置１の識別子と契約者識別子７１ｂとが等しい情報の組を、図１７に示す第３の例の再生権契約情報７１ａから検索し、第１のランキング種別の再生可能楽曲数を検索された組の第１のランキング種別の再生可能楽曲数７１ｈに、第２のランキング種別の再生可能楽曲数を検索された組の第２のランキング種別の再生可能楽曲数７１ｊに、第３のランキング種別の再生可能楽曲数を検索された組の第３のランキング種別の再生可能楽曲数７１ｍに更新記憶する。そして、この更新が完了した旨の信号を移動通信端末装置１に送信して、動作を終了する。
【０１６０】
次に、ランキング集計部６３の動作を説明する。ランキング集計部６３は、複数のランキング情報７２ａを受信して、または、作成して、受信された、または、作成されたランキング情報７２ａをランキング情報記憶部７２に格納する装置である。
【０１６１】
ランキング集計部６３は、ランキング情報７２ａの中で、順位７２ｂと、楽曲名７２ｄと、アーチスト名７２ｅとを、例えば、１週間毎にインターネット網３ｂを介して受信して、または、取り外し可能な記憶媒体（図示せず）を介して受信して得る。一方、ランキング集計部６３は、受信された情報に楽曲を一意に識別可能な楽曲識別子７２ｃを付し、更に、楽曲が楽曲データ蓄積部７５に楽曲データ７５ａとして記憶される際の楽曲ファイル名７５ｃと同じ楽曲ファイル名７２ｆを付す。
【０１６２】
ランキング集計部６３は、このように作成された図１８に示す第１の例のランキング情報７２ａをランキングの識別子（図示せず）を付して、ランキング情報記憶部７２に格納する。そのランキングの識別子を付したランキング情報７２ａが既に記憶されていれば、更新格納する。また、ランキング集計部６３は、更に配信時刻７２ｈを付して、図１９に示す第２の例のランキング情報７２ａを作成して、ランキング情報記憶部７２に格納する。この格納の際、ランキングの識別子を付すことと、そのランキングの識別子を付したランキング情報７２ａが既に記憶されていれば、更新格納することは、上記説明した通りである。
【０１６３】
次に、ランキング集計部６３は、図１６に示す第２の例の再生権契約情報７１ａが記憶されている場合、上述したインターネット網３ｂを介して受信された、または、取り外し可能な記憶媒体を介して受信されたランキングからランキング集計条件７１ｅに従ったランキングを作成し、そのランキングから上記説明したようにランキング情報７２ａを作成して、ランキング情報記憶部７２に格納する。
【０１６４】
ここで、ランキング集計条件７１ｅの記述に併せて、ランキング集計部６３が第２の例の再生権契約情報７１ａのランキング集計条件７１ｅに従ったランキングを作成する動作を説明する。ランキング集計条件７１ｅは、第１の項目と第２の項目とからなる。ここで、第２の項目は、必須ではなく、なくても良い。
【０１６５】
第１の項目は、以下のいずれかの記述である。即ち、ランキング情報７２ａに付された１つのランキングの識別子、または、ランキング情報７２ａに付された複数のランキングの識別子が「×」演算子によって結合され、それらの識別子及び演算子の全てが「（」及び「）」によって囲まれたものである。
【０１６６】
前者は、図１６に例示する再生権契約情報７１ａで、契約者識別子７１ｂが「１００」、「１０１」、「１０２」及び「１０４」である情報の組のランキング集計条件７１ｅに現れている。後者は、契約者識別子７１ｂが「１０３」である情報の組のランキング集計条件７１ｅに現れている。即ち、「邦楽販売総合」、「邦楽カラオケ総合」及び「洋楽リクエスト総合」がランキング情報７２ａの識別子である。前者の場合、ランキング集計部６３は、その識別子で識別されるランキング情報７２ａを基本として、ランキング集計条件７１ｅに従ったランキング情報７２ａを作成する。
【０１６７】
後者の場合、ランキング集計部６３は、まず、それらの識別子で識別されるランキング情報７２ａの少なくとも１つに現れる楽曲からなるランキング情報７２ａを作成する。ここで、ランキング集計部６３は、この作成されるランキング情報７２ａの順位７２ｂに、その楽曲の上記複数のランキングの識別子で識別されるランキング情報７２ａでの順位７２ｂを加算した数が小さい順に「１」、「２」、…と自然数を付す。
【０１６８】
なお、ある楽曲があるランキング情報７２ａに現れない場合、ランキング集計部６３は、順位７２ｂに代えてそのランキング情報７２ａの最大の順位７２ｂ（即ち、最下位の楽曲の順位７２ｂ。）に１を加えた数を用いる。このように作成されたランキング情報７２ａを基本として、ランキング集計条件７１ｅに従ったランキング情報７２ａを作成する。
【０１６９】
次に、ランキング集計部６３は、上記のように定められた基本となるランキング情報７２ａを第２の項目によって変更して、ランキング集計条件７１ｅに従ったランキング情報７２ａを作成する。ここで、第２の項目は、以下の第１〜第３の記述のいずれかである。
【０１７０】
第１に「−ジャンル」なる記述であり、第２に「−ジャンル｛＋｜−｝アーチスト名」なる記述であり、第３に「−アーチスト名」なる記述である。ここで、｛＋｜−｝は、「＋」演算子でも良く、また、「−」演算子でも良いことを示す。また、ジャンルは、ジャンル７２ｇに記憶される情報であり、「−ジャンル」の記述は複数個連結されていても良い。アーチスト名は、アーチスト名７２ｅに記憶される情報であり、「｛＋｜−｝アーチスト名」の記述と「−アーチスト名」の記述とはそれぞれ複数個連結されていても良い。
【０１７１】
上記第１の記述の場合、ランキング集計部６３は、上記基本となるランキング情報７２ａからジャンル７２ｇが上記ジャンルと等しい組の情報を削除し、削除されない情報の組の順位７２ｂにその数字が小さい順に「１」、「２」、…と自然数を付して、ランキング集計条件７１ｅに従ったランキング情報７２ａとする。
【０１７２】
この第１の記述は、図１６に例示する再生権契約情報７１ａで、契約者識別子７１ｂが「１０４」である情報の組のランキング集計条件７１ｅに現れている。即ち、「ポップス」がジャンルを表している。
【０１７３】
上記第２の記述の場合、ランキング集計部６３は、上記基本となるランキング情報７２ａからジャンル７２ｇが上記ジャンルと等しい組の情報を削除し、更に、アーチスト名７２ｅが上記「−」演算子に続くアーチスト名と等しい組の情報を削除する。ただし、ジャンル７２ｇが上記ジャンルと等しく、かつ、アーチスト名７２ｅが上記「＋」演算子に続くアーチスト名と等しい組の情報は削除しない。このように作られた情報の組の順位７２ｂにその数字が小さい順に「１」、「２」、…と自然数を付して、ランキング集計条件７１ｅに従ったランキング情報７２ａとする。
【０１７４】
この第２の記述は、図１６に例示する再生権契約情報７１ａで、契約者識別子７１ｂが「１００」及び「１０１」である情報の組のランキング集計条件７１ｅに現れている。即ち、「演歌」がジャンルを表し、「アーチストＣ」及び「アーチストＡ」がアーチスト名を表している。
【０１７５】
上記第３の記述の場合、ランキング集計部６３は、上記基本となるランキング情報７２ａからアーチスト名７２ｅが上記「−」演算子に続くアーチスト名と等しい組の情報を削除し、削除されない情報の組の順位７２ｂにその数字が小さい順に「１」、「２」、…と自然数を付して、ランキング集計条件７１ｅに従ったランキング情報７２ａとする。
【０１７６】
この第３の記述は、図１６に例示する再生権契約情報７１ａで、契約者識別子７１ｂが「１０２」及び「１０３」である情報の組のランキング集計条件７１ｅに現れている。即ち、「アーチストＢ」及び「アーチストＣ」がアーチスト名を表している。また、契約者識別子７１ｂが「１０２」である情報の組のランキング集計条件７１ｅには、「−アーチスト名」の記述が２つ現れており、複数個のアーチスト名が現れている。
【０１７７】
なお、ランキング集計条件７１ｅの記述及びランキング集計部６３が第２の例の再生権契約情報７１ａのランキング集計条件７１ｅに従ったランキングを作成する動作は、上記説明したものに限るものではない。例えば、ランキング集計条件７１ｅの記述は、演算子記号に依らず、言葉に依っても良い。また、あるランキング情報７２ａには現れ、かつ、別のランキング情報７２ａには現れない楽曲からランキングを作成しても良い。また、いずれのランキング情報７２ａであるかを問わず、ランキング情報７２ａに現れる楽曲であり、あるアーチスト名７２ｅによって、または、あるジャンル７２ｇによって検索された楽曲からランキングを作成しても良い。
【０１７８】
なお、ランキング集計部６３は、ランキング情報７２ａを作成して格納するのみならず、楽曲データを、インターネット網３ｂを介して受信して、または、取り外し可能な記憶媒体を介して受信して、楽曲データ７５ａとして楽曲データ蓄積部７５に格納する。その際、ある楽曲７５ｄに対して、楽曲識別子７２ｃと楽曲識別子７５ｂとは同じ情報であり、楽曲ファイル名７２ｆと楽曲ファイル名７５ｃとは同じ情報である。
【０１７９】
次に、ランキング情報送信部６４の動作を説明する。ランキング情報送信部６４は、ランキング集計部６３によってランキング情報記憶部７２に格納されたランキング情報７２ａを送信する装置である。
【０１８０】
ランキング情報送信部６４は、ランキング情報７２ａが作成されて所定の時間経過後に、または、移動通信端末装置１から送信された要求を受信した際に、制御部５１によって起動されて動作を開始する。そして、移動通信端末装置１にランキング情報７２ａを送信する旨の信号を送信し、その送信を受信する旨の信号を受信し、ランキング情報７２ａを送信する。そして、その送信されたランキング情報の受信が完了した旨の信号を受信して動作を終了する。ここで、送信されるランキング情報７２ａは、図１８に示す第１の例のランキング情報７２ａであっても良く、また、図１９に示す第２の例のランキング情報７２ａであっても良い。また、送信されるランキング情報７２ａは、再生権契約情報７１ａを参照して選択される。
【０１８１】
次に、ダウンロード楽曲データ送信部６５の動作を説明する。ダウンロード楽曲データ送信部６５は、まず、移動通信端末装置１から送信された再生楽曲情報を受信して、動作を開始する。そして、その移動通信端末装置１の識別子を契約者識別子７３ｂとする情報の組を再生楽曲情報７３ａから削除する。次に、その移動通信端末装置１の識別子を契約者識別子７３ｂとし、受信された再生楽曲情報の楽曲識別子を楽曲識別子７３ｃとする再生楽曲情報７３ａを作成して、再生楽曲情報記憶部７３に追加記憶し、再生楽曲情報３３ａの受信が終了したとの通知を移動通信端末装置１に送信する。
【０１８２】
次に、移動通信端末装置１から送信された楽曲識別子を受信して、その楽曲識別子と楽曲識別子７５ｂとが等しい情報の組を楽曲データ７５ａから検索する。そして、検索された情報の組の楽曲ファイル名７５ｃと、楽曲７５ｄと、所定の再生期限とを移動通信端末装置１に送信する。この所定の再生期限は、ランキング情報送信部６４によって移動通信端末装置１に送信されたランキング情報７２ａがランキング集計部６３によって作成された時刻に、ランキング集計部６３がランキング情報７２ａを定期的に作成する所定の間隔、例えば１週間に余裕に日数、例えば２日を加えた時刻とする。
【０１８３】
続いて、ダウンロード楽曲データ送信部６５は、上記の送信された楽曲７５ｄなどの受信が完了したとの通知を移動通信端末装置１から受信して、１つの楽曲のダウンロード処理を終了する。続いて、任意個の楽曲のダウンロード処理を行い、全ての楽曲のダウンロードが終了したとの通知を移動通信端末装置１から受信して、その通知を受信したとの通知を移動通信端末装置１に送信して動作を終了する。
【０１８４】
ランキング情報記憶部７２に記憶されたランキング情報７２ａが図１９に示す第２の例、即ち、配信時刻７２ｈを含んでいる場合、ダウンロード楽曲データ送信部６５は、楽曲等の送信を上記動作及び／または配信によって行う。配信に依って行う場合、ダウンロード楽曲データ送信部６５は、楽曲識別子７２ｃと楽曲識別子７５ｂとが等しい情報の組を楽曲データ７５ａから検索する。そして、検索された情報の組の楽曲ファイル名７５ｃと、楽曲７５ｄと、所定の再生期限とを配信時刻７２ｈにセルラーパケット網３ａ及び／またはインターネット網３ｂを介して配信する。
【０１８５】
次に、個別購入楽曲データ送信部６６の動作を説明する。個別購入楽曲データ送信部６６は、移動通信端末装置１から送信された楽曲識別子を受信して動作を開始する。そして、受信された楽曲識別子と楽曲識別子７５ｂとが等しい情報の組を楽曲データ７５ａから検索する。そして、検索された情報の組の楽曲ファイル名７５ｃと、楽曲７５ｄとを移動通信端末装置１に送信する。
【０１８６】
そして、個別購入楽曲データ送信部６６は、楽曲のダウンロードが終了したとの通知を移動通信端末装置１から受信して、その通知を受信したとの通知を移動通信端末装置１に送信する。更に、移動通信端末装置１の使用者に請求される楽曲使用料を、移動通信端末装置１を識別する情報と併せて、移動通信システム事業者が運用する通信料管理サーバ装置（図示せず）にインターネット網３ｂを介して送信して動作を終了する。通信料管理サーバ装置は、この楽曲使用料を移動通信端末装置１による通信料と合算して上記請求処理を行う。
【０１８７】
次に、著作権分配算出部６７の動作を説明する。著作権分配算出部６７は、再生権契約情報７１ａに基づいた楽曲の使用によって、楽曲の著作権者に分配される楽曲の使用料、即ち、著作権料を算出し、併せて、移動通信端末装置１の使用者に請求される楽曲使用料を算出する装置である。著作権分配算出部６７は、ランキング集計部６３がランキング情報７２ａを作成する、例えば、１週間毎に制御部５１によって起動されて動作を開始する。そして、再生権契約情報７１ａと、再生楽曲情報７３ａとから著作権分配情報７４ａを作成し、作成された著作権分配情報７４ａに依って著作権料を算出する。
【０１８８】
即ち、著作権分配算出部６７は、まず、著作権分配情報７４ａを消去する。次に、再生楽曲情報７３ａの契約者識別子７３ｂと、楽曲識別子７３ｃとの全ての組の情報を１組づつ順次読み込む。そして、読み込まれた契約者識別子７３ｂと、契約者識別子７１ｂとが等しい組を再生権契約情報７１ａから検索して再生可能楽曲数７１ｄを得る。
【０１８９】
そして、読み込まれた楽曲識別子７３ｃと、楽曲識別子７４ｂとが等しい組を著作権分配情報７４ａから検索し、もし、検索されない場合は、新たに作成し、上記得られた再生可能楽曲数７１ｄが１０か、２０か、３０か、５０かに従って、それぞれ、得られた組の１０曲再生契約再生許諾回数７４ｃに１を加え、得られた組の２０曲再生契約再生許諾回数７４ｄに１を加え、得られた組の３０曲再生契約再生許諾回数７４ｅに１を加え、得られた組の５０曲再生契約再生許諾回数７４ｆに１を加えて、更新記憶することによって、著作権分配情報７４ａを作成する。
【０１９０】
次に、著作権分配算出部６７は、著作権分配情報７４ａから楽曲識別子７４ｂと、１０曲再生契約再生許諾回数７４ｃと、２０曲再生契約再生許諾回数７４ｄと、３０曲再生契約再生許諾回数７４ｅと、５０曲再生契約再生許諾回数７４ｆとからなる全ての組を１組づつ順次読み込む。そして、読み込まれた楽曲識別子７４ｂで識別される楽曲の著作権者への著作権料を、例えば、再生権契約情報７１ａを参照して以下のように算出する。
【０１９１】
著作権料＝（再生可能楽曲数７１ｄが１０である契約による全楽曲使用料）
×（１０曲再生契約再生許諾回数７４ｃ）
÷（１０曲再生契約再生許諾回数７４ｃの総和）
＋（再生可能楽曲数７１ｄが２０である契約による全楽曲使用料）
×（２０曲再生契約再生許諾回数７４ｄ）
÷（２０曲再生契約再生許諾回数７４ｄの総和）
＋（再生可能楽曲数７１ｄが３０である契約による全楽曲使用料）
×（３０曲再生契約再生許諾回数７４ｅ）
÷（３０曲再生契約再生許諾回数７４ｅの総和）
＋（再生可能楽曲数７１ｄが５０である契約による全楽曲使用料）
×（５０曲再生契約再生許諾回数７４ｆ）
÷（５０曲再生契約再生許諾回数７４ｆの総和）
【０１９２】
この算出式は、例えば、再生可能楽曲数７１ｄが１０である組の契約による楽曲使用料の中で読み込まれた楽曲識別子７４ｂで識別される楽曲の著作権者への著作権料の割合を、再生権契約情報７１ａで、再生可能楽曲数７１ｄが１０である組の契約に基づいて許諾された再生の数中の、その楽曲の１０曲再生契約再生許諾回数７４ｃにあたる割合とすることを意味している。
【０１９３】
または、読み込まれた楽曲識別子７４ｂで識別される楽曲の著作権者への著作権料を、以下のように算出しても良い。
【０１９４】
著作権料＝（再生権契約情報７１ａ全ての契約による楽曲使用料）
×（１０曲再生契約再生許諾回数７４ｃ
＋２０曲再生契約再生許諾回数７４ｄ
＋３０曲再生契約再生許諾回数７４ｅ
＋５０曲再生契約再生許諾回数７４ｆ）
÷（１０曲再生契約再生許諾回数７４ｃの総和
＋２０曲再生契約再生許諾回数７４ｄの総和
＋３０曲再生契約再生許諾回数７４ｅの総和
＋５０曲再生契約再生許諾回数７４ｆの総和）
【０１９５】
この算出式は、ある楽曲識別子７４ｂで識別される楽曲の著作権料は、著作権分配情報７４ａの全ての許諾された再生の数中の、その楽曲に対して許諾された再生の数にあたる割合で分配されることを意味している。楽曲識別子７４ｂで識別される楽曲の著作権者への著作権料は、以上説明したように算出されると限るものではない。
【０１９６】
著作権分配算出部６７は、以上説明したように楽曲識別子７４ｂで識別される楽曲の著作権料を算出し、算出された著作権料をその楽曲を識別する情報と併せて、著作権者または著作権管理団体が運用する著作権料管理サーバ装置（図示せず）にインターネット網３ｂを介して送信する。
【０１９７】
更に、著作権分配算出部６７は、移動通信端末装置１の使用者に請求される楽曲を再生する権利に対する課金、即ち、楽曲使用料を再生権契約情報７１ａの再生可能楽曲数７１ｄに対応して決定する。そして、決定された楽曲使用料を、移動通信端末装置１を一意に識別する情報と併せて、移動通信システム事業者が運用する通信料管理サーバ装置にインターネット網３ｂを介して送信する。
【０１９８】
通信料管理サーバ装置は、この楽曲使用料を移動通信端末装置１による通信料と合算して請求処理を行う。この処理により、移動通信端末装置１の使用者は、楽曲使用料を通信料と別に支払う必要がなく、例えば、振込みの手数が省ける。また、クレジットカードによる支払いのためにクレジットカードの番号の送信することによる、その番号が傍受されるリスクを避けることができる。
【０１９９】
次に、上記説明した第１の実施形態に係るコンテンツ通信システムの移動通信端末装置１と、ランキングサーバ装置２との間で行われる通信のシーケンスの一例を、図２５〜２９を参照して説明する。図２５は、移動通信端末装置１と、ランキングサーバ装置２との間で行われる通信のシーケンスの一例を示す。このシーケンスは、再生権購入の通信（ステップＳ９１ａ）、再生条件更新の通信（ステップＳ９１ｂ）、ランキング情報の通信（ステップＳ９１ｃ）、楽曲データダウンロードの通信（ステップＳ９１ｄ）の順に行われる。
【０２００】
図２６は、図２５に示されるステップＳ９１ａの詳細なシーケンスである。この通信は、移動通信端末装置１の再生権購入部２１と、ランキングサーバ装置２の再生権販売部６１との間で行われる。即ち、まず、再生権購入部２１は、再生権購入の要求を送信する。それに応じて、再生権販売部６１は、その再生権の販売が可能である旨の情報を送信する。次に、再生権購入部２１は、再生権購入にあたり、購入内容を決定し、決定された購入曲数、購入する楽曲のランキング種別などを送信する。それに応じて、再生権販売部６１は、再生権契約情報７１ａを更新して、再生権の情報を送信する。それに応じて、再生権購入部２１は、受信された再生権情報により、再生権情報３１ａを記憶して、再生権購入の通信を終了する。
【０２０１】
図２７は、図２５に示されるステップＳ９１ｂの詳細なシーケンスである。この通信は、移動通信端末装置１の再生条件入力部２２と、ランキングサーバ装置２の再生条件情報作成部６２との間で行われる。即ち、まず、再生条件入力部２２は、再生条件の更新の要求を送信する。それに応じて、再生条件情報作成部６２は、その要求を了解した（図面では、ＡＣＫと略記する。）との信号を送信する。次に、再生条件入力部２２は、再生条件情報、即ち、３つの再生可能楽曲数を整え、それらを送信する。それに応じて、再生条件情報作成部６２は、再生条件情報を再生権契約情報７１ａに更新記憶して、上記３つの再生可能楽曲数を了解したとの信号を送信して、再生条件更新の通信を終了する。
【０２０２】
図２８は、図２５に示されるステップＳ９１ｃの詳細なシーケンスである。この通信は、移動通信端末装置１のランキング情報受信部２３と、ランキングサーバ装置２のランキング情報送信部６４との間で行われる。即ち、まず、ランキング情報送信部６４がランキング情報を送信する旨の要求を送信する。それに応じて、ランキング情報受信部２３は、そのランキング情報の受信を受諾する旨を送信する。次に、ランキング情報送信部６４は、ランキング情報７２ａを送信する。それに応じて、ランキング情報受信部２３は、受信された情報をランキング情報３２ａに記憶して、受信が完了した（図面では、受信ＯＫと略記する。）旨を送信して、ランキング情報の通信を終了する。
【０２０３】
図２９は、図２５に示されるステップＳ９１ｄの詳細なシーケンスである。この通信は、移動通信端末装置１のダウンロード楽曲データ受信部２５と、ランキングサーバ装置２のダウンロード楽曲データ送信部６５との間で行われる。即ち、まず、ダウンロード楽曲データ受信部２５が再生楽曲情報３３ａを送信する。それに応じて、ダウンロード楽曲データ送信部６５は、受信された情報を再生楽曲情報７３ａとして記憶し、了解したとのＡＣＫ信号を送信する。
【０２０４】
次に、ダウンロード楽曲データ受信部２５がダウンロード楽曲情報３４ａを参照して、第１の楽曲データをダウンロードする要求信号を送信する（図面では、一部で、ダウンロードをＤＬと略記する。）。それに応じて、ダウンロード楽曲データ送信部６５は、要求された第１の楽曲データ７５ａを送信する。次に、ダウンロード楽曲データ受信部２５が受信された第１の楽曲データをランキング楽曲データ３５ａとして記憶し、第１の楽曲データの受信を了解したとの信号を送信し、第２の楽曲データをダウンロードする要求を送信する。それに応じて、ダウンロード楽曲データ送信部６５は、要求された第２の楽曲データ７５ａを送信する。
【０２０５】
次に、ダウンロード楽曲データ受信部２５が受信された第２の楽曲データをランキング楽曲データ３５ａとして記憶し、第２の楽曲データの受信を了解したとの信号を送信する。その後、同様に全ての楽曲データの通信が終了すると、ダウンロード楽曲データ受信部２５が楽曲データのダウンロードが終了したとの通知を送信する。それに応じて、ダウンロード楽曲データ送信部６５は、楽曲データのダウンロードが終了したことを了解したとの信号を送信して、楽曲データダウンロードの通信を終了する。
【０２０６】
なお、以上説明した通信のプロトコルは、特定のものに限るものではない。専用のプロトコルであっても良く、ファイル転送プロトコルであっても良く、電子メールプロトコルであっても良い。更に、これらのプロトコルを適宜組み合わせても良い。
【０２０７】
以上説明した第１の実施形態に係るコンテンツ通信システムでは、ランキングにランクされた楽曲であって、移動通信端末装置１にダウンロードされる楽曲を示すダウンロード楽曲情報３４ａは、移動通信端末装置１が作成するとした。そのため、ランキングサーバ装置２は、再生権契約情報７１ａの情報の中で、移動通信端末装置１の使用者に請求される楽曲使用料を算出する際に用いない情報を記憶しないとしても良い。記憶しない情報は、例えば、図１７の例に示す再生条件、即ち、第１のランキング種別の再生可能楽曲数７１ｈ、第２のランキング種別の再生可能楽曲数７１ｊ及び第３のランキング種別の再生可能楽曲数７１ｍである。
【０２０８】
（第２の実施形態）
第２の実施形態が第１の実施形態と異なる点は、移動通信端末装置１の楽曲処理部２０及びランキングサーバ装置２の楽曲処理部６０にある。そこで、楽曲処理部２０及び楽曲処理部６０の第２の実施形態を、図面を参照して説明する。なお、第１の実施形態に係る楽曲処理部２０及び楽曲処理部６０と同じ部分については、同じ符号を付してその部分の説明を省略する。
【０２０９】
図３０は、第２の実施形態に係る移動通信端末装置１の楽曲処理部２０の詳細な構成を示すブロック図である。楽曲処理部２０は、再生権購入部２１と、ランキング情報受信部２３と、ダウンロード楽曲データ受信部２５ｂと、個別購入楽曲データ受信部２６と、再生権情報記憶部３１と、ランキング情報記憶部３２と、再生楽曲情報記憶部３３と、ダウンロード楽曲情報記憶部３４と、ランキング楽曲データ蓄積部３５と、個別購入楽曲データ蓄積部３６とからなる。この楽曲処理部２０は、第１の実施形態の楽曲処理部２０と比較して、ダウンロード楽曲判定部２４とを有さず、そして、ダウンロード楽曲データ受信部２５に代えて、ダウンロード楽曲データ受信部２５ｂを有する構成である。
【０２１０】
ダウンロード楽曲データ受信部２５ｂの動作を説明する。ダウンロード楽曲データ受信部２５ｂは、ランキングサーバ装置２から送信された楽曲情報等を受信することによって動作を開始する。即ち、ダウンロード楽曲情報と再生楽曲情報とを受信し、受信されたダウンロード楽曲情報をダウンロード楽曲情報３４ａとしてダウンロード楽曲情報記憶部３４に更新記憶し、受信された再生楽曲情報を再生楽曲情報３３ａとして再生楽曲情報記憶ウ３３に更新記憶する。なお、再生楽曲情報３３ａとして記憶する際、一連番号からなる番号３３ｂを作成して、併せて記憶する。
【０２１１】
次に、ダウンロード楽曲データ受信部２５ｂは、ダウンロード楽曲情報３４ａの楽曲識別子３４ｂを１つづつ読み込んで、ランキングサーバ装置２に送信し、これに応じてランキングサーバ装置２から送信された楽曲ファイル名と、楽曲と、再生期限とを受信して、受信された情報から１組のランキング楽曲データ３５ａを作成して、ランキング楽曲データ蓄積部３５に追加記憶する。
【０２１２】
このランキングサーバ装置２から情報を受信して、受信された情報から１組のランキング楽曲データ３５ａを作成して、ランキング楽曲データ蓄積部３５に追加記憶する動作は、第１の実施形態に係る移動通信端末装置１のダウンロード楽曲データ受信部２５の動作を同じであり、詳細な説明を省略する。
【０２１３】
なお、ランキング情報記憶部３２に記憶されたランキング情報３２ａが図８に示す第２の例である場合、ダウンロード楽曲データ受信部２５ｂは、上記の動作に代えて、配信に依って楽曲等を受信しても良い。即ち、ダウンロード楽曲データ受信部２５ｂは、ダウンロード楽曲情報３４ａの楽曲識別子３４ｂと楽曲識別子３２ｃとが等しい情報の組をランキング情報３２ａから検索し、検索された配信時刻３２ｈにセルラーパケット網３ａ及び／またはインターネット網３ｂを介して配信される楽曲ファイル名と、楽曲と、再生期限とを受信して、上記説明の通り、１組のランキング楽曲データ３５ａを作成して、ランキング楽曲データ蓄積部３５に追加記憶する。
【０２１４】
図３１は、第２の実施形態に係るランキングサーバ装置２の楽曲処理部６０の詳細な構成を示すブロック図である。この楽曲処理部６０は、再生権販売部６１と、再生条件情報作成部６２と、ランキング集計部６３と、ランキング情報送信部６４と、ダウンロード楽曲データ送信部６５ｂと、個別購入楽曲データ送信部６６ｂと、著作権分配算出部６７と、ダウンロード楽曲判定部６８と、再生権契約情報記憶部７１と、ランキング情報記憶部７２と、再生楽曲情報記憶部７３と、著作権分配情報記憶部７４と、楽曲データ蓄積部７５と、ダウンロード楽曲情報記憶部７６と、個別購入楽曲情報記憶部７７とからなる。
【０２１５】
この楽曲処理部６０は、第１の実施形態に係る楽曲処理部６０と比較して、ダウンロード楽曲データ送信部６５に代えてダウンロード楽曲データ送信部６５ｂを有し、個別購入楽曲データ送信部６６に代えて個別購入楽曲データ送信部６６ｂを有し、更に、ダウンロード楽曲判定部６８と、ダウンロード楽曲情報記憶部７６と、個別購入楽曲情報記憶部７７とを有する構成である。
【０２１６】
ダウンロード楽曲情報記憶部７６には、移動通信端末装置１毎に、その装置が再生するためにダウンロードされるべき楽曲を示すダウンロード楽曲情報７６ａが記憶される。図３２は、ダウンロード楽曲情報７６ａの一例を示す。このダウンロード楽曲情報７６ａは、契約者識別子７６ｂと、楽曲識別子７６ｃとの情報の組からなる。図３２に示す一例では、契約者識別子７６ｂとして、「１００」が、そして、その「１００」なる契約者識別子７６ｂと組をなして、楽曲識別子７６ｃとして、「ＡＡＡ＿１」と、「ＣＣＣ＿６」と、「ＸＸＸ＿７７」とが記憶されている。
【０２１７】
この「１００」なる契約者識別子７６ｂと組をなして記憶される楽曲識別子７６ｃは、第１の実施形態の契約者識別子７６ｂで識別される移動通信端末装置１のダウンロード楽曲情報３４ａの楽曲識別子３４ｂとして記憶される情報と同一である。
【０２１８】
個別購入楽曲情報記憶部７７には、移動通信端末装置１毎に、その装置が個別によって購入された楽曲を示す個別購入楽曲情報７７ａが記憶される。図３３は、個別購入楽曲情報７７ａの一例を示す。この個別購入楽曲情報７７ａは、契約者識別子７７ｂと、楽曲識別子７７ｃとの情報の組からなる。図３３に示す一例では、契約者識別子７７ｂとして、「１００」が、そして、その「１００」なる契約者識別子７７ｂと組をなして、楽曲識別子７７ｃとして、「ＢＢＢ＿５」と、「ＦＦＦ＿１」と、「ＧＧＧ＿１」とが記憶されている。
【０２１９】
この「１００」なる契約者識別子７７ｂと組をなして記憶される楽曲識別子７７ｃは、第１の実施形態の契約者識別子７７ｂで識別される移動通信端末装置１の個別購入楽曲データ３６ａの楽曲識別子３６ｂとして記憶される情報と同一である。
【０２２０】
次に、ダウンロード楽曲データ送信部６５ｂの動作を説明する。ダウンロード楽曲データ送信部６５ｂは、ダウンロード楽曲判定部６８の動作終了の後、移動通信端末装置１から楽曲データの更新の要求を受信して動作を開始する。そして、上記移動通信端末装置１を識別する契約者識別子７６ｂを検索キーにダウンロード楽曲情報７６ａを検索し、検索された楽曲識別子７６ｃを移動通信端末装置１に送信する。更に、上記移動通信端末装置１を識別する契約者識別子７３ｂを検索キーに再生楽曲情報７３ａを検索し、検索された楽曲識別子７３ｃを移動通信端末装置１に送信する。
【０２２１】
次に、ダウンロード楽曲データ送信部６５ｂは、移動通信端末装置１から送信された楽曲識別子を１つずつ受信して、その楽曲識別子と楽曲識別子７５ｂとが等しい情報の組を楽曲データ７５ａから検索し、検索された情報の組の楽曲ファイル名７５ｃと、楽曲７５ｄと、所定の再生期限とを移動通信端末装置１に送信する動作を、全ての移動通信端末装置１から送信された全ての楽曲識別子について行って動作を終了するが、この楽曲のダウンロードの動作は、第１の実施形態に係るランキングサーバ装置２のダウンロード楽曲データ送信部６５の動作を同じであり、詳細な説明を省略する。
【０２２２】
なお、ダウンロード楽曲データ送信部６５ｂは、ダウンロード楽曲情報７６ａを検索し、検索された楽曲識別子７６ｃを移動通信端末装置１に送信することによって、移動通信端末装置１がダウンロードすべき楽曲の識別子を移動通信端末装置１に送信し、ダウンロード楽曲データ送信部６５ｂは、移動通信端末装置１からダウンロードする楽曲の識別子を受信して楽曲のダウンロードをするとしたが、これに限るものではない。
【０２２３】
即ち、ダウンロード楽曲データ送信部６５ｂは、ダウンロード楽曲情報７６ａから１組ずつ契約者識別子７６ｂと、楽曲識別子７６ｃとを読み込む。そして、読み込まれた楽曲識別子７６ｃと楽曲識別子７５ｂとが等しい情報の組を楽曲データ７５ａから検索する。そして、読み込まれた楽曲識別子７６ｃと、検索された組の楽曲ファイル名７５ｃ及び楽曲７５ｄと、所定の再生期限とを読み込まれた契約者識別子７６ｂで識別される移動通信端末装置１に送信するとしても良い。
【０２２４】
なお、ランキング情報記憶部７２に記憶されたランキング情報７２ａが図１９に示す第２の例である場合、ダウンロード楽曲データ送信部６５ｂは、上記の動作に代えて、配信に依って楽曲等を送信しても良い。即ち、ダウンロード楽曲データ送信部６５ｂは、ダウンロード楽曲情報７６ａから１組ずつ契約者識別子７６ｂと、楽曲識別子７６ｃとを読み込む。そして、読み込まれた楽曲識別子７６ｃを読み込まれた契約者識別子７６ｂで識別される移動通信端末装置１に送信する。
【０２２５】
そして、ダウンロード楽曲データ送信部６５ｂは、ダウンロード楽曲情報７６ａの楽曲識別子７６ｃと楽曲識別子７２ｃとが等しい組をランキング情報７２ａから検索し、検索された配信時刻７２ｈにセルラーパケット網３ａ及び／またはインターネット網３ｂを介して、読み込まれた楽曲識別子７６ｃと、読み込まれた楽曲識別子７６ｃと楽曲識別子７５ｂとが等しい楽曲データ７５ａの情報の組の楽曲ファイル名７５ｃ及び楽曲７５ｄと、所定の再生期限とを配信する。
【０２２６】
次に、個別購入楽曲データ送信部６６ｂの動作を説明する。個別購入楽曲データ送信部６６ｂは、第１の実施形態に係る個別購入楽曲データ送信部６６の動作と類似している。即ち、個別購入楽曲データ送信部６６ｂは、個別購入楽曲データ送信部６６の動作に加え、受信された楽曲識別子を送信した移動通信端末装置１を識別する契約者識別子７７ｂと、受信された楽曲識別子と等しい楽曲識別子７７ｃとからなる個別購入楽曲情報７７ａを個別購入楽曲情報記憶部７７に追加記憶する。
【０２２７】
次に、ダウンロード楽曲判定部６８の動作を説明する。ダウンロード楽曲判定部６８は、移動通信端末装置１毎に、再生権契約情報７１ａと、ランキング情報７２ａと、個別購入楽曲情報７７ａとから再生楽曲情報７３ａを作成して再生楽曲情報記憶部７３に格納し、また、ダウンロード楽曲情報７６ａを作成してダウンロード楽曲情報記憶部７６に格納する装置である。
【０２２８】
ダウンロード楽曲判定部６８の動作は、図２３及び図２４にフローチャートを示す第１の実施形態に係る移動通信端末装置１のダウンロード楽曲判定部２４の動作と類似している。即ち、ダウンロード楽曲判定部２４は、再生権情報３１ａと、ランキング情報３２ａと、個別購入楽曲データ３６ａとから再生楽曲情報３３ａを作成して再生楽曲情報記憶部３３に格納し、また、ダウンロード楽曲情報３４ａを作成してダウンロード楽曲情報記憶部３４に格納するのに対して、ダウンロード楽曲判定部６８は、再生権契約情報７１ａ及び個別購入楽曲情報７７ａから１つの移動通信端末装置１に関する情報、即ち、契約者識別子７１ｂを検索キーに再生権契約情報７１ａから検索された情報及び契約者識別子７７ｂを検索キーに個別購入楽曲情報７７ａから検索された情報とを得る。
【０２２９】
そして、ダウンロード楽曲判定部６８は、検索された情報と、ランキング情報７２ａとから再生楽曲情報７３ａ及びダウンロード楽曲情報７６ａとを作成して、上記検索キーである契約者識別子７３ｂ及び契約者識別子７６ｂとをそれぞれ付加して、再生楽曲情報記憶部７３及びダウンロード楽曲情報記憶部７６に格納する。そこで、ダウンロード楽曲判定部６８の動作の詳細な説明は省略する。
【０２３０】
この第２の実施形態に係る移動通信端末装置１及びランキングサーバ装置２に依れば、通常小型で、少ない電力の消費量で動作する移動通信端末装置１が行う動作を減少させることができる。また、ランキングサーバ装置２が全ての移動通信端末装置１がダウンロードする楽曲を把握することができるため、楽曲の配信時刻７２ｈを決定するにあたり、多くの移動通信端末装置１がダウンロードする楽曲の配信の頻度を高めるなど、より多くの移動通信端末装置１の利便性を高めることができる。
【０２３１】
次に、上記説明した第２の実施形態に係るコンテンツ通信システムの移動通信端末装置１と、ランキングサーバ装置２との間で行われる通信のシーケンスの一例を、図面を参照して説明する。
【０２３２】
この通信シーケンスは、図２５に示す、第１の実施形態に係るコンテンツ通信システムの移動通信端末装置１と、ランキングサーバ装置２との間で行われる通信のシーケンスの一例と殆ど同様であり、ステップＳ９１ｄにおける楽曲データダウンロードの通信の詳細が異なるので、その通信の詳細を説明する。
【０２３３】
図３４は、第２の実施形態に係る移動通信端末装置１と、ランキングサーバ装置２との間で行われる楽曲データダウンロードの通信の詳細なシーケンスを示す。この通信は、移動通信端末装置１のダウンロード楽曲データ受信部２５ｂと、ランキングサーバ装置２のダウンロード楽曲データ送信部６５ｂとの間で行われる。
【０２３４】
即ち、まず、ダウンロード楽曲データ受信部２５ｂは、楽曲データの更新の要求を送信する。それに応じて、ダウンロード楽曲データ送信部６５ｂは、ダウンロード楽曲情報７６ａと、再生楽曲情報７３ａとを送信する。次に、ダウンロード楽曲データ受信部２５ｂは、受信されたダウンロード楽曲情報をダウンロード楽曲情報３４ａとして記憶し、受信された再生楽曲情報を再生楽曲情報３３ａとして記憶する。
【０２３５】
次に、ダウンロード楽曲データ受信部２５ｂがダウンロード楽曲情報３４ａを参照して、第１の楽曲データをダウンロードする要求信号を送信する以降の通信は、図２９に示す、第１の実施形態に係る移動通信端末装置１と、ランキングサーバ装置２との間で行われる通信と同じであり、説明を省略する。
【０２３６】
（第３の実施形態）
図３５は、本発明の第３の実施形態に係るコンテンツ送信方法が適用されたコンテンツ通信システムの構成を示すブロック図である。このコンテンツ通信システムは、本発明の第３の実施形態に係るコンテンツ受信装置が適用された移動通信端末装置１、及び、外部ダウンロード装置４と、本発明の第３の実施形態に係るコンテンツ送信装置が適用されたランキングサーバ装置２と、移動通信端末装置１とランキングサーバ装置２とを接続するセルラーパケット網３ａと、外部ダウンロード装置４とランキングサーバ装置２とを接続するインターネット網３ｂと、移動通信端末装置１と外部ダウンロード装置４とを接続する取り外し可能な通信線３ｃとからなる。ここで、１台の移動通信端末装置１と、１台の外部ダウンロード装置４とが組を成してコンテンツ受信装置を構成している。
【０２３７】
ここで、外部ダウンロード装置４は、パソコンであっても良いし、また、映像やオーディオを扱う家電製品であっても良い。また、通信線３ｃは、有線による通信に限るものではない。例えば、無線ＬＡＮ方式、赤外線通信方式、ブルートゥース（Ｒ）方式などによる、無線通信であっても良い。
【０２３８】
第３の実施形態のランキングサーバ装置２は、第１の実施形態のランキングサーバ装置２と同一である。そこで、第３の実施形態の移動通信端末装置１及び外部ダウンロード装置４を、図面を参照して説明する。なお、第１の実施形態に係る移動通信端末装置１と同じ部分については、同じ符号を付してその部分の説明を省略する。
【０２３９】
図３６は、第３の実施形態に係る移動通信端末装置１の構成を示すブロック図である。この移動通信端末装置１は、制御部１１と、基地局を経由してセルラーパケット網３ａに接続されるアンテナ１２ａと、通信部１２ｂと、送受信部１３と、受話用のスピーカ１４ａと、マイクロフォン１４ｂと、通話部１４ｃと、表示部１５と、入力装置１６と、楽曲処理部２０ｂと、復号化部４１と、楽曲の音声情報再生用のスピーカ４１ａと、外部記憶媒体４３と、電池４６と、電源回路４７とからなる。
【０２４０】
この移動通信端末装置１は、第１の実施形態に係る移動通信端末装置１と比較して、アンテナ４２ａと、近距離無線送受信部４２ｂとを有せず、また、楽曲処理部２０に代えて楽曲処理部２０ｂを有している。
【０２４１】
図３７は、第３の実施形態に係る移動通信端末装置１の楽曲処理部２０ｂの詳細な構成を示すブロック図である。楽曲処理部２０ｂは、通信線３ｃを介した通信を行う対外部ダウンロード装置通信部２７と、ランキング情報記憶部３２と、再生楽曲情報記憶部３３と、ランキング楽曲データ蓄積部３５と、個別購入楽曲データ蓄積部３６とからなる。この楽曲処理部２０ｂは、第１の実施形態の楽曲処理部２０と比較して、再生権購入部２１と、再生条件入力部２２と、ランキング情報受信部２３と、ダウンロード楽曲判定部２４と、ダウンロード楽曲データ受信部２５と、個別購入楽曲データ受信部２６と、再生権情報記憶部３１と、ダウンロード楽曲情報記憶部３４とを有せず、そして、対外部ダウンロード装置通信部２７を有する。
【０２４２】
図３８は、外部ダウンロード装置４の構成を示すブロック図である。この外部ダウンロード装置４は、装置全体の制御を行う制御部８１と、表示部８２と、入力装置８３と、楽曲処理部８４と、復号化部８５と、スピーカ８５ａと、インターネット網３ｂを介した送受信を行うインターネット送受信部８６とからなる。
【０２４３】
図３９は、楽曲処理部８４の詳細な構成を示すブロック図である。この楽曲処理部８４は、再生権購入部２１と、再生条件入力部２２と、ランキング情報受信部２３と、ダウンロード楽曲判定部２４と、ダウンロード楽曲データ受信部２５と、個別購入楽曲データ受信部２６と、対移動通信端末装置通信部８８と、再生権情報記憶部３１と、ランキング情報記憶部３２と、再生楽曲情報記憶部３３と、ダウンロード楽曲情報記憶部３４と、ランキング楽曲データ蓄積部３５と、個別購入楽曲データ蓄積部３６とからなる。
【０２４４】
この楽曲処理部８４は、第１の実施形態で説明した移動通信端末装置１の楽曲処理部２０と類似しており、楽曲処理部２０と比較して、更に、通信線３ｃを介した通信を行う対移動通信端末装置通信部８８を有する。
【０２４５】
次に、第３の実施形態に係る移動通信端末装置１の楽曲処理部２０ｂの動作と、第３の実施形態に係る外部ダウンロード装置４の動作を説明する。まず、楽曲処理部２０ｂの対外部ダウンロード装置通信部２７は、入力装置１６の所定のキーが操作された場合、制御部１１によって起動されて動作を開始する。
【０２４６】
そして、通信線３ｃを介して外部ダウンロード装置４と通信することによって、対外部ダウンロード装置通信部２７は、外部ダウンロード装置４に記憶されたランキング情報３２ａと、再生楽曲情報３３ａと、ランキング楽曲データ３５ａと、個別購入楽曲データ３６ａとの全部または一部を受信し、それぞれをランキング情報記憶部３２と、再生楽曲情報記憶部３３と、ランキング楽曲データ蓄積部３５と、個別購入楽曲データ蓄積部３６に更新格納する。
【０２４７】
なお、対外部ダウンロード装置通信部２７は、ランキング楽曲データ３５ａを受信する際、まず、その楽曲識別子３５ｂと、再生期限３５ｅとを受信する。そして、その楽曲識別子３５ｂがランキング楽曲データ３５ａに含まれていれば、再生期限３５ｅの更新格納を行い、楽曲ファイル名３５ｃと、楽曲３５ｄとを受信しない。更に、その楽曲識別子３５ｂと楽曲識別子３６ｂとが等しい組が個別購入楽曲データ３６ａに含まれていれば、その組の楽曲ファイル名３６ｃを楽曲ファイル名３５ｃとし、楽曲３６ｄを楽曲３５ｄとし、更に、受信された楽曲識別子３５ｂと、再生期限３５ｅとによってランキング楽曲データ３５ａの情報の組を作成して、ランキング楽曲データ蓄積部３５に追加格納する。
【０２４８】
また、対外部ダウンロード装置通信部２７は、個別購入楽曲データ３６ａを受信する際、まず、その楽曲識別子３６ｂを受信する。そして、その楽曲識別子３６ｂが個別購入楽曲データ３６ａに含まれていれば、楽曲ファイル名３６ｃと、楽曲３６ｄとを受信しない。そして、個別購入楽曲データ蓄積部３６に格納する動作を行わない。更に、その楽曲識別子３６ｂと楽曲識別子３５ｂとが等しい組がランキング楽曲データ３５ａに含まれていれば、その組の楽曲ファイル名３５ｃを楽曲ファイル名３６ｃとし、楽曲３５ｄを楽曲３６ｄとし、更に、受信された楽曲識別子３６ｂとによって個別購入楽曲データ３６ａの情報の組を作成して、個別購入楽曲データ蓄積部３６に追加格納する。
【０２４９】
次に、外部ダウンロード装置４の動作を、まず、表示部８２の動作から説明する。表示部８２は、制御部８１に制御されることで、文字・数字や画像データの表示動作を行い、表示されているデータは、入力装置８３からの入力操作に応答して制御部８１からの指示を受けることで切換わる。
【０２５０】
入力装置８３は、複数のキーからなる。そして、入力装置８３のキーが操作されると、そのキーの識別子が制御部８１に通知され、制御部８１によって、表示部８２に文字として表示され、または、制御が行われる。
【０２５１】
楽曲処理部８４は、インターネット送受信部８６及びインターネット網３ｂを経由して、ランキングサーバ装置２から定期的に楽曲をダウンロードする権利を得て、権利を得た楽曲を定期的にダウンロードし、ダウンロードされた楽曲を記憶する。楽曲処理部８４の動作の詳細は、後述する。
【０２５２】
復号化部８５は、制御部８１に制御されること、楽曲処理部８４に記憶された楽曲情報をスピーカ８５ａから発生させて再生すること、楽曲処理部８４に記憶された映像情報を表示部８２に表示することを除いて、第１の移動通信端末装置１の復号化部４１と同一の動作をするので、説明を省略する。
【０２５３】
次に、楽曲処理部８４の動作の詳細を説明する。対移動通信端末装置通信部８８は、移動通信端末装置１からランキング情報３２ａと、再生楽曲情報３３ａと、ランキング楽曲データ３５ａと、個別購入楽曲データ３６ａとの全部または一部の送信要求を受信して、その要求に応じて楽曲処理部８４に記憶されたランキング情報３２ａと、再生楽曲情報３３ａと、ランキング楽曲データ３５ａと、個別購入楽曲データ３６ａとの全部または一部を移動通信端末装置１に送信する。
【０２５４】
なお、対移動通信端末装置通信部８８は、ランキング楽曲データ３５ａの送信要求として、その楽曲識別子３５ｂと、再生期限３５ｅとの送信要求に応じる。また、その楽曲識別子３５ｂを検索キーとするその楽曲ファイル名３５ｃと、楽曲３５ｄとの送信要求に応じる。更に、個別購入楽曲データ３６ａの送信要求として、その楽曲識別子３６ｂの送信要求に応じる。また、その楽曲識別子３６ｂを検索キーとするその楽曲ファイル名３６ｃと、楽曲３６ｄとの送信要求に応じる。
【０２５５】
以上の説明では、第３の実施形態に係る移動通信端末装置１の楽曲処理部２０ｂは、第１の実施形態の係る楽曲処理部２０と比較して、再生権購入部２１と、再生条件入力部２２と、ランキング情報受信部２３と、ダウンロード楽曲判定部２４と、ダウンロード楽曲データ受信部２５と、個別購入楽曲データ受信部２６とを有しないとしたが、これに限るものではない。これらの全部または一部の処理部を有し、これらの処理部は、外部ダウンロード装置４を経由して、または、セルラーパケット網３ａを介してランキングサーバ装置２と通信しても良い。
【０２５６】
また、以上の説明では、外部ダウンロード装置４は、復号化部８５とスピーカ８５ａとを有し、楽曲処理部８４に記憶された情報を再生することができるとしたが、これに限るものではない。外部ダウンロード装置４は、復号化部８５とスピーカ８５ａとを有しない構成としても良い。
【０２５７】
（その他の実施形態）
以上の説明では、契約者識別子３１ｂ及び契約者識別子７１ｂは、移動通信端末装置１が加入している移動通信システムの事業者が移動通信端末装置１を一意に識別できる情報であるとしたが、これに限るものではない。楽曲処理部２０、２０ｂ、６０、８４内でのみ用いられる移動通信端末装置１を一意に識別できる情報であるとしても良い。なお、その場合、少なくともランキングサーバ装置２は、移動通信端末装置１が加入している移動通信システムの事業者が移動通信端末装置１を一意に識別できる情報と、楽曲処理部２０、２０ｂ、６０、８４内でのみ用いられる移動通信端末装置１を一意に識別できる情報との対応を記憶する。
【０２５８】
更には、その場合、ランキングサーバ装置２は、楽曲処理部２０、２０ｂ、６０、８４内でのみ用いられる移動通信端末装置１を一意に識別できる情報と、クレジットカード番号、銀行口座番号、電子マネー番号などの決済口座の識別子との対応を記憶しても良い。そして、ランキングサーバ装置２は、移動通信端末装置１の使用者に請求される楽曲使用料をクレジットカード事業者が運営するクレジット使用料管理サーバ装置（図示せず）、銀行が運営する口座残高管理サーバ装置（図示せず）、電子マネー事業者が運営する電子マネー残高管理サーバ装置（図示せず）などの決済事業者が運営するサーバ装置にインターネット網３ｂを介して送信する。
【０２５９】
また、以上の説明では、ランキングサーバ装置２は１台の装置であるとしたが、これに限るものではなく、複数の装置からなるとしても良い。そして、楽曲処理部６０の処理を分割し、分割された処理をそれらの装置で分担するとしても良い。例えば、ランキング集計部６３とランキング情報送信部６４とランキング情報記憶部７２の処理を分担する専用の装置や、個別購入楽曲データ送信部６６と楽曲データ記憶部７５の処理を分担する専用の装置があるとしても良い。
【０２６０】
更に、楽曲処理部６０の処理の一部を複数の装置が行うとしても良い。例えば、以上説明したランキングサーバ装置２の他に、ランキング集計部６３とランキング情報送信部６４とランキング情報記憶部７２の処理を行う装置や、個別購入楽曲データ送信部６６と楽曲データ記憶部７５の処理を行う専用の装置があるとしても良い。
【０２６１】
これらの、複数の装置のランキング情報記憶部７２等に記憶される楽曲の情報は、共通の楽曲識別子７２ｃによって一意に識別されるが、これに限るものではない。例えば、楽曲は、楽曲名及び／またはアーチスト名、更には、作詞者名、作曲者名、楽曲製作事業者名等の情報によって一意に識別されるとしても良い。
【０２６２】
また、以上の説明は、本発明のコンテンツ受信装置を移動通信端末装置１に適用した形態と、移動通信端末装置１及び外部ダウンロード装置４に適用した形態を例にとって行ったが、本発明のコンテンツ受信装置は、ＰＤＡ（Personal Digital Assistant）、パソコンなど、通信手段を有し、楽曲を再生するあらゆる装置に適用することが当然に可能である。
【０２６３】
また、上記説明では、ランキングサーバ装置２から移動通信端末装置１または外部ダウンロード装置４に送信される情報、特に楽曲データ７５ａは、その移動通信端末装置１または外部ダウンロード装置４の識別子に依存した暗号化が施されて送信されても良い。その結果、ある移動通信端末装置１に送信された楽曲データ７５ａがその他の移動通信端末装置１で再生されることはない。また、上記３つの実施形態で説明した要素を適宜組み合わせても良い。本発明は以上の構成に限定されるものではなく、種々の変形が可能である。
【図面の簡単な説明】
【０２６４】
【図１】本発明の第１及び第２の実施形態に係るコンテンツ通信システムの構成を示すブロック図。
【図２】本発明の第１及び第２の実施形態に係るコンテンツ受信装置である移動通信端末装置の構成を示すブロック図。
【図３】本発明の第１の実施形態に係るコンテンツ受信装置である移動通信端末装置の楽曲処理部の構成を示すブロック図。
【図４】本発明の実施形態に係るコンテンツ受信装置の再生権情報の第１の例を示す図。
【図５】本発明の実施形態に係るコンテンツ受信装置の再生権情報の第２の例を示す図。
【図６】本発明の実施形態に係るコンテンツ受信装置の再生権情報の第３の例を示す図。
【図７】本発明の実施形態に係るコンテンツ受信装置のランキング情報の第１の例を示す図。
【図８】本発明の実施形態に係るコンテンツ受信装置のランキング情報の第２の例を示す図。
【図９】本発明の実施形態に係るコンテンツ受信装置の再生楽曲情報の一例を示す図。
【図１０】本発明の実施形態に係るコンテンツ受信装置のダウンロード楽曲情報の一例を示す図。
【図１１】本発明の実施形態に係るコンテンツ受信装置のランキング楽曲データの一例を示す図。
【図１２】本発明の実施形態に係るコンテンツ受信装置の個別購入楽曲データの一例を示す図。
【図１３】本発明の実施形態に係るコンテンツ送信装置であるランキングサーバ装置の構成を示すブロック図。
【図１４】本発明の第１の実施形態に係るコンテンツ送信装置であるランキングサーバ装置の楽曲処理部の構成を示すブロック図。
【図１５】本発明の実施形態に係るコンテンツ送信装置の再生権契約情報の第１の例を示す図。
【図１６】本発明の実施形態に係るコンテンツ送信装置の再生権契約情報の第２の例を示す図。
【図１７】本発明の実施形態に係るコンテンツ送信装置の再生権契約情報の第３の例を示す図。
【図１８】本発明の実施形態に係るコンテンツ送信装置のランキング情報の第１の例を示す図。
【図１９】本発明の実施形態に係るコンテンツ送信装置のランキング情報の第２の例を示す図。
【図２０】本発明の実施形態に係るコンテンツ送信装置の再生楽曲情報の一例を示す図。
【図２１】本発明の実施形態に係るコンテンツ送信装置の著作権分配情報の一例を示す図。
【図２２】本発明の実施形態に係るコンテンツ送信装置の楽曲データの一例を示す図。
【図２３】本発明の第１及び第３の実施形態に係るコンテンツ受信装置のダウンロード楽曲判定部の動作を示すフローチャート（その１）。
【図２４】本発明の第１及び第３の実施形態に係るコンテンツ受信装置のダウンロード楽曲判定部の動作を示すフローチャート（その２）。
【図２５】本発明の実施形態に係るコンテンツ通信システムの通信を示すシーケンス図。
【図２６】本発明の実施形態に係るコンテンツ通信システムの再生権購入の通信を示すシーケンス図。
【図２７】本発明の実施形態に係るコンテンツ通信システムの再生条件更新の通信を示すシーケンス図。
【図２８】本発明の実施形態に係るコンテンツ通信システムのランキング情報の通信を示すシーケンス図。
【図２９】本発明の第１及び第３の実施形態に係るコンテンツ通信システムの楽曲データダウンロードの通信を示すシーケンス図。
【図３０】本発明の第２の実施形態に係るコンテンツ受信装置である移動通信端末装置の楽曲処理部の構成を示すブロック図。
【図３１】本発明の第２の実施形態に係るコンテンツ送信装置であるランキングサーバ装置の楽曲処理部の構成を示すブロック図。
【図３２】本発明の第２の実施形態に係るコンテンツ送信装置のダウンロード楽曲情報の一例を示す図。
【図３３】本発明の第２の実施形態に係るコンテンツ送信装置の個別購入楽曲情報の一例を示す図。
【図３４】本発明の第２の実施形態に係るコンテンツ通信システムの楽曲データダウンロードの通信を示すシーケンス図。
【図３５】本発明の第３の実施形態に係るコンテンツ通信システムの構成を示すブロック図。
【図３６】本発明の第３の実施形態に係るコンテンツ受信装置である移動通信端末装置の構成を示すブロック図。
【図３７】本発明の第３の実施形態に係るコンテンツ受信装置である移動通信端末装置の楽曲処理部の構成を示すブロック図。
【図３８】本発明の第３の実施形態に係るコンテンツ受信装置である外部ダウンロード装置の構成を示すブロック図。
【図３９】本発明の第３の実施形態に係るコンテンツ受信装置である外部ダウンロード装置の楽曲処理部の構成を示すブロック図。
【符号の説明】
【０２６５】
１  移動通信端末装置
２  ランキングサーバ装置
３ａ  セルラーパケット網
３ｂ  インターネット網
３ｃ  通信線
４  外部ダウンロード装置
２０、２０ｂ、６０、８４  楽曲処理部
２１  再生権購入部
２２  再生条件入力部
２３  ランキング情報受信部
２４、６８  ダウンロード楽曲判定部
２５、２５ｂ  ダウンロード楽曲データ受信部
２６  個別購入楽曲データ受信部
２７  対外部ダウンロード装置通信部
３１  再生権情報記憶部
３１ａ  再生権情報
３１ｂ、７１ｂ、７３ｂ、７６ｂ、７７ｂ  契約者識別子
３１ｃ、７１ｃ  有効期限
３１ｄ、７１ｄ  再生可能楽曲数
３１ｅ、７１ｅ  ランキング集計条件
３１ｆ、７１ｆ  ランキング種別数
３１ｇ、７１ｇ  第１のランキング種別
３１ｈ、７１ｈ  第１のランキング種別の再生可能楽曲数
３１ｉ、７１ｉ  第２のランキング種別
３１ｊ、７１ｊ  第２のランキング種別の再生可能楽曲数
３１ｋ、７１ｋ  第３のランキング種別
３１ｍ、７１ｍ  第３のランキング種別の再生可能楽曲数
３２、７２  ランキング情報記憶部
３２ａ、７２ａ  ランキング情報
３２ｂ、７２ｂ  順位
３２ｃ、３３ｃ、３４ｂ、３５ｂ、３６ｂ、７２ｃ、７３ｃ、７４ｂ、７５ｂ、７６ｃ、７７ｃ  楽曲識別子
３２ｄ、７２ｄ  楽曲名
３２ｅ、７２ｅ  アーチスト名
３２ｆ、３５ｃ、３６ｃ、７２ｆ、７５ｃ  楽曲ファイル名
３２ｇ、７２ｇ  ジャンル
３２ｈ、７２ｈ  配信時刻
３３、７３  再生楽曲情報記憶部
３３ａ、７３ａ  再生楽曲情報
３３ｂ  番号
３４、７６  ダウンロード楽曲情報記憶部
３４ａ、７６ａ  ダウンロード楽曲情報
３５  ランキング楽曲データ蓄積部
３５ａ  ランキング楽曲データ
３５ｄ、３６ｄ、７５ｄ  楽曲
３５ｅ  再生期限
３６  個別購入楽曲データ蓄積部
３６ａ  個別購入楽曲データ
４１、８５  復号化部
４２ｂ  近距離無線送受信部
６１  再生権販売部
６２  再生条件情報作成部
６３  ランキング集計部
６４  ランキング情報送信部
６５、６５ｂ  ダウンロード楽曲データ送信部
６６、６６ｂ  個別購入楽曲データ送信部
６７  著作権分配算出部
７１  再生権契約情報記憶部
７１ａ  再生権契約情報
７４  著作権分配情報記憶部
７４ａ  著作権分配情報
７４ｃ  １０曲再生契約再生許諾回数
７４ｄ  ２０曲再生契約再生許諾回数
７４ｅ  ３０曲再生契約再生許諾回数
７４ｆ  ５０曲再生契約再生許諾回数
７５  楽曲データ蓄積部
７５ａ  楽曲データ
７７  個別購入楽曲情報記憶部
７７ａ  個別購入楽曲情報
８６  インターネット送受信部
８８  対移動通信端末装置通信部
【図１】
2006337557.tif 000003
【図２】
2006337557.tif 000004
【図３】
2006337557.tif 000005
【図４】
2006337557.tif 000006
【図５】
2006337557.tif 000007
【図６】
2006337557.tif 000008
【図７】
2006337557.tif 000009
【図８】
2006337557.tif 000010
【図９】
2006337557.tif 000011
【図１０】
2006337557.tif 000012
【図１１】
2006337557.tif 000013
【図１２】
2006337557.tif 000014
【図１３】
2006337557.tif 000015
【図１４】
2006337557.tif 000016
【図１５】
2006337557.tif 000017
【図１６】
2006337557.tif 000018
【図１７】
2006337557.tif 000019
【図１８】
2006337557.tif 000020
【図１９】
2006337557.tif 000021
【図２０】
2006337557.tif 000022
【図２１】
2006337557.tif 000023
【図２２】
2006337557.tif 000024
【図２３】
2006337557.tif 000025
【図２４】
2006337557.tif 000026
【図２５】
2006337557.tif 000027
【図２６】
2006337557.tif 000028
【図２７】
2006337557.tif 000029
【図２８】
2006337557.tif 000030
【図２９】
2006337557.tif 000031
【図３０】
2006337557.tif 000032
【図３１】
2006337557.tif 000033
【図３２】
2006337557.tif 000034
【図３３】
2006337557.tif 000035
【図３４】
2006337557.tif 000036
【図３５】
2006337557.tif 000037
【図３６】
2006337557.tif 000038
【図３７】
2006337557.tif 000039
【図３８】
2006337557.tif 000040
【図３９】
2006337557.tif 000041